(57)【要約】【課題】ＨＭＤに表示する画像において調整オブジェクトを適切な位置に配置する。【解決手段】スマートフォン３００と、ＨＭＤ１００とを接続して構成される表示システム１であって、ＨＭＤ１００は、使用者の頭部に装着され、画像を表示する映像表示部２０と、スマートフォン３００から画像ＰＴを受信する受信部１２３と、画像ＰＴを、設定された分割位置で分割することにより複数の分割画像とし、各々の分割画像を映像表示部２０により表示させる第１表示制御部１２１とを備える。また、スマートフォン３００は、画像ＰＴに対応する画像データをＨＭＤ１００に送信する送信部３１５と、画像ＰＴを調整する調整オブジェクトを画像ＰＴに含める場合に、調整オブジェクトの位置を、分割位置に対応する位置から離間させる第２表示制御部３１１と、を備える。【選択図】図５
2020112982.tif 000002
【特許請求の範囲】
【請求項１】
情報処理装置と、表示装置とを接続して構成される表示システムであって、
前記表示装置は、
使用者の頭部に装着され、画像を表示する第１表示部と、
前記情報処理装置から画像を受信する受信部と、
前記画像を、設定された分割位置で分割することにより２つの分割画像とし、各々の前記分割画像を前記第１表示部により表示させる第１制御部と、を備え、
前記第１表示部は、前記使用者の右眼に向けて画像光を発する右眼用表示部、及び、前記使用者の左眼に向けて画像光を発する左眼用表示部を有し、
前記第１制御部は、前記受信部で受信した前記画像に対応する画像データを２つに分割することにより、２つの分割画像データを生成し、一方の前記分割画像データに基づく画像を前記右眼用表示部に表示させ、他方の前記分割画像データに基づく画像を前記左眼用表示部に表示させ、
前記情報処理装置は、
前記画像を前記表示装置に送信する送信部と、
調整オブジェクトを前記画像に含める第２制御部と、を備え、
前記第２制御部は、前記調整オブジェクトの位置を、前記分割位置に対応する位置から離間させる、表示システム。
【請求項２】
前記情報処理装置は、
画像を表示する第２表示部を備え、
前記第２制御部は、前記第２表示部に表示する前記画像を前記送信部によって前記表示装置に送信させる、請求項１記載の表示システム。
【請求項３】
前記情報処理装置の前記第２制御部は、前記調整オブジェクトを前記画像の右領域に表示する、請求項１又は２に記載の表示システム。
【請求項４】
前記情報処理装置の前記第２制御部は、前記調整オブジェクトを前記画像の右上領域に表示する、請求項３に記載の表示システム。
【請求項５】
前記情報処理装置の前記第２制御部は、前記調整オブジェクトを、他の調整オブジェクトと重ならないように表示する、請求項１から４のいずれか１項に記載の表示システム。
【請求項６】
前記情報処理装置の前記第２制御部は、前記調整オブジェクトを縦長に表示する、請求項１から５のいずれか１項に記載の表示システム。
【請求項７】
前記情報処理装置の前記第２制御部は、入力を受け付ける受付部を備え、
前記情報処理装置の前記第２制御部は、前記受付部が入力を受け付けた場合には、前記調整オブジェクトを表示し、前記受付部が入力を受け付けない場合には、前記調整オブジェクトを表示しない、請求項１から６のいずれか１項に記載の表示システム。
【請求項８】
前記情報処理装置の前記第２制御部は、前記表示装置が接続されたことを検出する検出部を備え、
前記情報処理装置の前記第２制御部は、前記検出部の検出結果に応じて、前記第２表示部に表示する前記画像の輝度を、設定された輝度よりも低減する、請求項２に記載の表示システム。
【請求項９】
前記情報処理装置の前記第２制御部は、前記画像に一定の濃度の画像を重畳することによって、前記第２表示部に表示する前記画像の輝度を低減する、請求項８に記載の表示システム。
【請求項１０】
前記調整オブジェクトは、スライドバーオブジェクトを含み、
前記スライドバーオブジェクトは、前記画像の左右方向に延びるスライドバー画像を含む、請求項１から９のいずれか１項に記載の表示システム。
【請求項１１】
前記情報処理装置の前記第２制御部は、前記表示装置におけるエラーの発生に応じて、前記エラーの発生を示すエラー画像を前記第２表示部に表示する、請求項２に記載の表示システム。
【請求項１２】
情報処理装置と、使用者の頭部に装着される表示装置とを接続して構成される表示システムの制御方法であって、
前記情報処理装置が、調整オブジェクトを画像に含め、前記調整オブジェクトの位置を、設定された分割位置に対応する位置から離間させる、配置ステップと、
前記情報処理装置が、前記画像を前記表示装置に送信する送信ステップと、
前記表示装置が、前記画像を受信する受信ステップと、
前記表示装置が、前記画像を、前記分割位置で分割することにより２つの分割画像とし、各々の前記分割画像を表示する表示ステップと、
を含み、
前記表示ステップにおいて、前記表示装置が、前記画像に対応する画像データを２つに分割することにより、２つの分割画像データを生成し、一方の前記分割画像データに基づく画像を右眼用表示部に表示させ、他方の前記分割画像データに基づく画像を左眼用表示部に表示させる、表示システムの制御方法。
【請求項１３】
使用者の頭部に装着され、設定された分割位置で画像を分割することにより２つの分割画像とし、各々の前記分割画像を表示する表示装置と接続される情報処理装置であって、
前記画像を前記表示装置に送信する送信部と、
調整オブジェクトを前記画像に含め、前記調整オブジェクトの位置を、前記分割位置に対応する位置から離間させる表示制御部と、
を備える、情報処理装置。
【請求項１４】
使用者の頭部に装着され、設定された分割位置で画像を分割することにより複数の分割画像とし、各々の前記分割画像を表示する表示装置と接続され、コンピューターを備える情報処理装置の制御プログラムであって、
前記画像を前記表示装置に送信する送信部、及び、
調整オブジェクトを前記画像に含める場合に、前記調整オブジェクトの位置を、前記分割位置に対応する位置から離間させる表示制御部、として前記コンピューターを機能させる、制御プログラム。
【発明の詳細な説明】
【技術分野】
【０００１】
本発明は、表示システム、表示システムの制御方法、情報処理装置、及び情報処理装置の制御プログラムに関する。
【背景技術】
【０００２】
３Ｄコンテンツを表示する表示装置が知られている（例えば、特許文献１参照）。
特許文献１に記載の立体表示装置は、テレビの画面に３Ｄのサイドバイサイド画像を表示し、表示されたサイドバイサイド画像をＨＭＤの撮像部で撮影する。そして、ＨＭＤの制御部は、撮影した画像の左半分の左画像と右半分の右画像に分割し、左画像と右画像の対応する特徴点を抽出する。
また、ＨＭＤの制御部は、その特徴点の上下位置が水平になるように左画像と右画像の上下方向の相対位置を調整したのち、左画像をＨＭＤの第１表示部に表示し、右画像をＨＭＤの第２表示部に表示する。
【先行技術文献】
【特許文献】
【０００３】
【特許文献１】特開２０１３−３３１７２公報
【発明の概要】
【発明が解決しようとする課題】
【０００４】
特許文献１記載の構成では、ユーザーの種々の操作を受け付ける調整オブジェクトを表示することについては、記載されていない。
例えば、ＨＭＤに表示する画像において調整オブジェクトを配置する位置が適切ではない場合には、使用者の操作性が低下する可能性があるという課題があった。
【課題を解決するための手段】
【０００５】
上記課題を解決する一態様は、情報処理装置と、表示装置とを接続して構成される表示システムであって、前記表示装置は、使用者の頭部に装着され、画像を表示する第１表示部と、前記情報処理装置から画像を受信する受信部と、前記画像を、設定された分割位置で分割することにより２つの分割画像とし、各々の前記分割画像を前記第１表示部により表示させる第１制御部と、を備え、前記第１表示部は、前記使用者の右眼に向けて画像光を発する右眼用表示部、及び、前記使用者の左眼に向けて画像光を発する左眼用表示部を有し、前記第１制御部は、前記受信部で受信した前記画像に対応する画像データを２つに分割することにより、２つの分割画像データを生成し、一方の前記分割画像データに基づく画像を前記右眼用表示部に表示させ、他方の前記分割画像データに基づく画像を前記左眼用表示部に表示させ、前記情報処理装置は、前記画像を前記表示装置に送信する送信部と、調整オブジェクトを前記画像に含める第２制御部と、を備え、前記第２制御部は、前記調整オブジェクトの位置を、前記分割位置に対応する位置から離間させる、表示システムである。
【０００６】
上記表示システムにおいて、前記情報処理装置は、画像を表示する第２表示部を備え、前記第２制御部は、前記第２表示部に表示する前記画像を前記送信部によって前記表示装置に送信させる構成であってもよい。
【０００７】
上記表示システムにおいて、前記情報処理装置の前記第２制御部は、前記調整オブジェクトを前記画像の右領域に表示する構成であってもよい。
【０００８】
上記表示システムにおいて、前記情報処理装置の前記第２制御部は、前記調整オブジェクトを前記画像の右上領域に表示する構成であってもよい。
【０００９】
上記表示システムにおいて、前記情報処理装置の前記第２制御部は、前記調整オブジェクトを、他の調整オブジェクトと重ならないように表示する構成であってもよい。
【００１０】
上記表示システムにおいて、前記情報処理装置の前記第２制御部は、前記調整オブジェクトを縦長に表示する構成であってもよい。
【００１１】
上記表示システムにおいて、前記情報処理装置の前記第２制御部は、入力を受け付ける受付部を備え、前記情報処理装置の前記第２制御部は、前記受付部が入力を受け付けた場合には、前記調整オブジェクトを表示し、前記受付部が入力を受け付けない場合には、前記調整オブジェクトを表示しない構成であってもよい。
【００１２】
上記表示システムにおいて、前記情報処理装置の前記第２制御部は、前記表示装置が接続されたことを検出する検出部を備え、前記情報処理装置の前記第２制御部は、前記検出部の検出結果に応じて、前記第２表示部に表示する前記画像の輝度を、設定された輝度よりも低減する構成であってもよい。
【００１３】
上記表示システムにおいて、前記情報処理装置の前記第２制御部は、前記画像に一定の濃度の画像を重畳することによって、前記第２表示部に表示する前記画像の輝度を低減する構成であってもよい。
【００１４】
上記表示システムにおいて、前記調整オブジェクトは、スライドバーオブジェクトを含み、前記スライドバーオブジェクトは、前記画像の左右方向に延びるスライドバー画像を含む構成であってもよい。
【００１５】
上記表示システムにおいて、前記情報処理装置の前記第２制御部は、前記表示装置におけるエラーの発生に応じて、前記エラーの発生を示すエラー画像を前記第２表示部に表示する構成であってもよい。
【００１６】
上記課題を解決する別の一態様は、情報処理装置と、使用者の頭部に装着される表示装置とを接続して構成される表示システムの制御方法であって、前記情報処理装置が、調整オブジェクトを前記画像に含める場合に、前記調整オブジェクトの位置を、設定された分割位置に対応する位置から離間させる配置ステップと、前記情報処理装置が、前記画像を前記表示装置に送信する送信ステップと、前記表示装置が、前記画像を受信する受信ステップと、前記表示装置が、前記画像を、前記分割位置で分割することにより２つの分割画像とし、各々の前記分割画像を表示する表示ステップと、を含み、前記表示ステップにおいて、前記表示装置が、前記画像に対応する画像データを２つに分割することにより、２つの分割画像データを生成し、一方の前記分割画像データに基づく画像を右眼用表示部に表示させ、他方の前記分割画像データに基づく画像を左眼用表示部に表示させる、表示システムの制御方法である。
【００１７】
上記課題を解決する更に別の一態様は、使用者の頭部に装着され、設定された分割位置で画像を分割することにより２つの分割画像とし、各々の前記分割画像を表示する表示装置と接続される情報処理装置であって、前記画像を前記表示装置に送信する送信部と、調整オブジェクトを前記画像に含め、前記調整オブジェクトの位置を、前記分割位置に対応する位置から離間させる表示制御部と、を備える、情報処理装置である。
【００１８】
上記課題を解決する更に別の一態様は、使用者の頭部に装着され、設定された分割位置で画像を分割することにより複数の分割画像とし、各々の前記分割画像を表示する表示装置と接続され、コンピューターを備える情報処理装置の制御プログラムであって、前記画像を前記表示装置に送信する送信部、及び、調整オブジェクトを前記画像に含め、前記調整オブジェクトの位置を、前記表示装置によって前記画像が分割される位置を示す分割位置に対応する位置から離間させる表示制御部、として前記コンピューターを機能させる、制御プログラムである。
【図面の簡単な説明】
【００１９】
【図１】表示システムの構成を示す図。
【図２】画像表示部の光学系の構成を示す図。
【図３】画像表示部の要部構成を示す斜視図。
【図４】ＨＭＤを構成する各部の構成を示す図。
【図５】ＨＭＤの第１制御部とスマートフォンとの構成を示す図。
【図６】スマートフォン及びＨＭＤに表示される画像の一例を示す図。
【図７】スマートフォン及びＨＭＤに表示される画像の別の一例を示す図。
【図８】スマートフォン及びＨＭＤに表示される画像の更に別の一例を示す図。
【図９】スマートフォンに表示される画像の更に別の一例を示す図。
【図１０】スマートフォンの第２制御部の処理を示すフローチャート。
【図１１】スマートフォンの第２制御部の処理を示すフローチャート。
【図１２】第２制御部の第１輝度調整処理を示すフローチャート。
【図１３】ＨＭＤの第１制御部の処理を示すフローチャート。
【発明を実施するための形態】
【００２０】
以下、図面を参照して実施形態について説明する。
【００２１】
［１．表示システムの構成］
［１−１．表示システムの全体構成］
図１は、表示システム１の概略構成を示す図である。
図１に示すように、表示システム１は、ＨＭＤ（Ｈｅａｄ  Ｍｏｕｎｔｅｄ  Ｄｉｓｐｌａｙ）１００を備える。ＨＭＤ１００は、使用者の頭部に装着される映像表示部２０と、接続装置１０とを備え、映像表示部２０により、使用者の頭部に装着された状態で使用者に虚像を視認させる装置である。ＨＭＤ１００は、「表示装置」の一例に対応する。以下の説明において、使用者とは、ＨＭＤ１００を装着して使用するユーザーを指す。
【００２２】
接続装置１０は、箱形のケースに、コネクター１１Ａ及びコネクター１１Ｄを備える。コネクター１１Ａには、映像表示部２０が接続ケーブル４０を介して接続される。以下、コネクター１１Ａ、１１Ｄを区別しない場合はコネクター１１と表記する場合がある。接続装置１０のケースは、筐体、或いは本体ということもできる。
【００２３】
表示システム１は、ＨＭＤ１００にスマートフォン３００を接続して構成されるシステムである。コネクター１１Ｄは、ＨＭＤ１００のスマートフォン３００が接続されるインターフェイスである。すなわち、本実施形態では、コネクター１１Ｄにスマートフォン３００が接続される。スマートフォン３００は、「情報処理装置」の一例に対応する。なお、スマートフォン３００は情報処理装置の一例に過ぎない。例えば、情報処理装置として、デスクトップ型パーソナルコンピューター、ノート型パーソナルコンピューター、タブレット型パーソナルコンピューター等を接続装置１０に接続可能である。
【００２４】
コネクター１１は、通信ケーブルを接続する有線インターフェイスであり、この通信ケーブルにより、接続装置１０は外部の装置と接続される。コネクター１１Ａは、接続ケーブル４０を接続する端子、及び、コネクター１１Ａを介して信号を送受信するインターフェイス回路を備える。
【００２５】
コネクター１１Ａは、接続装置１０に映像表示部２０を接続するために設けられる。接続ケーブル４０は、接続装置１０から映像表示部２０に対する電源供給を行うとともに、映像表示部２０と接続装置１０とが相互にデータを送受信する機能を有する。
【００２６】
コネクター１１Ｄは、スマートフォン３００から映像データが入力され、スマートフォン３００に対してセンサーデータの出力が可能なインターフェイスである。スマートフォン３００は、不揮発性記憶部に記録されたコンテンツデータを再生する。コネクター１１Ｄは、例えば、公知の通信インターフェイス規格に準拠するコネクターである。
本実施形態では、一例として、コネクター１１Ｄは映像データ及び各種データの入出力に対応するインターフェイスであり、ＵＳＢケーブル４６を介してスマートフォン３００が接続される。
【００２７】
コネクター１１Ｄとして、例えば、ＵＳＢ（Ｕｎｉｖｅｒｓａｌ  Ｓｅｒｉａｌ  Ｂｕｓ）−ＴｙｐｅＣ規格のコネクターを採用することができる。ＵＳＢ−ＴｙｐｅＣに対応するインターフェイスは、ＵＳＢ３．１規格に従ったデータの伝送、及び、２０ボルト、５アンペア以内の直流電流の供給が可能である。また、ＵＳＢ−ＴｙｐｅＣの代替モードの機能として、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格の映像データ、ＭＨＬ（Ｍｏｂｉｌｅ  Ｈｉｇｈ−ｄｅｆｉｎｉｔｉｏｎ  Ｌｉｎｋ）規格の映像データ等を伝送できる。スマートフォン３００は、ＵＳＢケーブル４６を介して、電源供給、データの送受信、及び、映像や音声のストリーミングデータの供給等を行うことができる。ＵＳＢ−ＴｙｐｅＣの代替モードは、Ａｌｔｅｒｎａｔｉｖｅモードとして知られている。ＨＤＭＩは登録商標である。
【００２８】
映像表示部２０は、本実施形態では眼鏡形状を有する。映像表示部２０は、右保持部２１と、左保持部２３と、前部フレーム２７とを有する本体に、右表示部２２、左表示部２４、右導光板２６、及び左導光板２８を備える。
映像表示部２０は、「第１表示部」の一例に対応する。右表示部２２は、「右眼用表示部」の一例に対応し、左表示部２４は、「左眼用表示部」の一例に対応する。
【００２９】
右保持部２１及び左保持部２３は、前部フレーム２７の両端部から後方に延び、使用者の頭部Ｕに映像表示部２０を保持する。前部フレーム２７の両端部のうち、映像表示部２０の装着時に頭部Ｕの右側に位置する端部を端部ＥＲとし、左側に位置する端部を端部ＥＬとする。右保持部２１は、前部フレーム２７の端部ＥＲから、映像表示部２０装着状態において使用者の右側頭部に対応する位置まで延伸して設けられる。左保持部２３は、端部ＥＬから、映像表示部２０の装着状態において使用者の左側頭部に対応する位置まで延伸して設けられる。
【００３０】
右導光板２６及び左導光板２８は、前部フレーム２７に設けられる。右導光板２６は、映像表示部２０の装着状態において使用者の右眼の眼前に位置し、右眼に画像を視認させる。左導光板２８は、映像表示部２０の装着状態において使用者の左眼の眼前に位置し、左眼に画像を視認させる。
【００３１】
前部フレーム２７は、右導光板２６の一端と左導光板２８の一端とを互いに連結した形状を有し、この連結位置は、使用者が映像表示部２０を装着する装着状態で、使用者の眉間に対応する。
前部フレーム２７は、右導光板２６と左導光板２８との連結位置において、映像表示部２０の装着状態で使用者の鼻に当接する鼻当て部を設けてもよい。この場合、鼻当て部と右保持部２１及び左保持部２３とにより映像表示部２０を使用者の頭部に保持できる。また、右保持部２１及び左保持部２３に、映像表示部２０の装着状態において使用者の後頭部に接する、ベルトを連結してもよく、この場合、ベルトによって映像表示部２０を使用者の頭部Ｕに保持できる。
【００３２】
右表示部２２及び左表示部２４は、それぞれ、光学ユニット及び周辺回路をユニット化したモジュールである。
右表示部２２は、右導光板２６による画像の表示に係るユニットであり、右保持部２１に設けられ、装着状態において使用者の右側頭部の近傍に位置する。左表示部２４は、左導光板２８による画像の表示に係るユニットであり、左保持部２３に設けられ、装着状態において使用者の左側頭部の近傍に位置する。なお、右表示部２２及び左表示部２４を総称して単に「表示駆動部」と呼ぶこともできる。
【００３３】
右導光板２６及び左導光板２８は、光透過性の樹脂等によって形成される光学部であり、右表示部２２及び左表示部２４が出力する画像光を、使用者の眼に導く。右導光板２６及び左導光板２８は、例えばプリズムである。
【００３４】
右導光板２６及び左導光板２８の表面に、調光板を設けてもよい。調光板は、光の波長域により透過率が異なる薄板上の光学素子であり、いわゆる波長フィルターとして機能する。調光板は、例えば、使用者の眼の側とは反対の側である前部フレーム２７の表側を覆うように配置される。この調光板の光学特性を適宜選択することによって、可視光、赤外光及び紫外光等の任意の波長域の光の透過率を調整することができ、外部から右導光板２６及び左導光板２８に入射し、右導光板２６及び左導光板２８を透過する外光の光量を調整できる。
【００３５】
使用者の右眼には、右導光板２６により導かれた画像光と、右導光板２６を透過した外光とが入射する。同様に、左眼には、左導光板２８により導かれた画像光と、左導光板２８を透過した外光とが入射する。
【００３６】
映像表示部２０の前部フレーム２７には、照度センサー６５が配置される。照度センサー６５は、映像表示部２０を装着する使用者の前方からの外光を受光する。
カメラ６１は、映像表示部２０の前部フレーム２７に配設される。カメラ６１は、右導光板２６及び左導光板２８を透過する外光を遮らない位置に設けられる。図１の例では、カメラ６１が前部フレーム２７の端部ＥＲ側に配置されているが、端部ＥＬ側に配置されてもよく、右導光板２６と左導光板２８との連結部に配置されてもよい。
【００３７】
カメラ６１は、ＣＣＤやＣＭＯＳ等の撮像素子及び撮像レンズ等を備えるデジタルカメラであり、本実施形態のカメラ６１は単眼カメラであるが、ステレオカメラで構成してもよい。
【００３８】
前部フレーム２７には、ＬＥＤインジケーター６７が配置される。ＬＥＤインジケーター６７は、端部ＥＲにおいてカメラ６１の近傍に配置され、カメラ６１の動作中に点灯して、撮像中であることを報知する。
【００３９】
前部フレーム２７には、距離センサー６４が設けられる。距離センサー６４は、予め設定された測定方向に位置する測定対象物までの距離を検出する。距離センサー６４は、例えば、ＬＥＤやレーザーダイオード等の光源と、光源が発する光が測定対象物に反射する反射光を受光する受光部とを有する光反射式距離センサーであってもよい。また、距離センサー６４は、超音波を発する音源と、測定対象物で反射する超音波を受信する検出部とを備える超音波式の距離センサーであってもよい。また、距離センサー６４は、レーザーレンジスキャナーを用いてもよく、この場合、映像表示部２０の前方を含む広範囲の領域に対し測域を行える。
【００４０】
映像表示部２０の右表示部２２及び左表示部２４は、それぞれ、接続装置１０に接続される。ＨＭＤ１００では、左保持部２３に接続ケーブル４０が接続され、この接続ケーブル４０に繋がる配線が映像表示部２０内部に敷設され、右表示部２２と左表示部２４のそれぞれが接続装置１０に接続される。
【００４１】
接続ケーブル４０は、オーディオコネクター３６を備え、ステレオヘッドホンを構成する右イヤホン３２及び左イヤホン３４と、マイク６３とを有するヘッドセット３０が、オーディオコネクター３６に接続される。右イヤホン３２は、使用者の右耳に装着され、左イヤホン３４は、使用者の左耳に装着される。右イヤホン３２及び左イヤホン３４は、音声出力部ということもできる。
【００４２】
右イヤホン３２及び左イヤホン３４は、接続装置１０が出力する音声信号に基づき音声を出力する。
マイク６３は、音声を集音して、音声信号を接続装置１０に出力する。マイク６３は、例えばモノラルマイクであってもステレオマイクであってもよく、指向性を有するマイクであってもよいし、無指向性のマイクであってもよい。
【００４３】
接続装置１０は、使用者により操作される被操作部として、輝度調整キー１３、輝度調整キー１４、音量調整キー１５及び音量調整キー１６を備える。輝度調整キー１３、輝度調整キー１４、音量調整キー１５及び音量調整キー１６の各々は、ハードウェアキーで構成される。これらの被操作部は接続装置１０の本体の表面に配置され、例えば、使用者の手指により操作される。
【００４４】
輝度調整キー１３、１４は映像表示部２０により表示する映像の表示輝度を調整するためのハードウェアキーである。輝度調整キー１３は輝度の増大を指示し、輝度調整キー１４は輝度の低減を指示する。音量調整キー１５、１６は、右イヤホン３２及び左イヤホン３４から出力される音声の音量を調整するためのハードウェアキーである。音量調整キー１５は音量の増大を指示し、音量調整キー１６は音量の低減を指示する。
【００４５】
［１−２．画像表示部の光学系の構成］
図２は、映像表示部２０が備える光学系の構成を示す要部平面図である。図２には説明のため使用者の左眼ＬＥ及び右眼ＲＥを図示する。
図２に示すように、右表示部２２と左表示部２４とは、左右対称に構成される。使用者の右眼ＲＥに画像を視認させる構成として、右表示部２２は、画像光を発するＯＬＥＤ（Ｏｒｇａｎｉｃ  Ｌｉｇｈｔ  Ｅｍｉｔｔｉｎｇ  Ｄｉｏｄｅ）ユニット２２１を備える。また、ＯＬＥＤユニット２２１が発する画像光Ｌを導くレンズ群等を備えた右光学系２５１を備える。画像光Ｌは、右光学系２５１により右導光板２６に導かれる。
【００４６】
ＯＬＥＤユニット２２１は、ＯＬＥＤパネル２２３と、ＯＬＥＤパネル２２３を駆動するＯＬＥＤ駆動回路２２５とを有する。ＯＬＥＤパネル２２３は、有機エレクトロルミネッセンスにより発光してＲ（赤）、Ｇ（緑）、Ｂ（青）の色光をそれぞれ発する発光素子を、マトリクス状に配置して構成される、自発光型の表示パネルである。ＯＬＥＤパネル２２３は、Ｒ、Ｇ、Ｂの素子を１個ずつ含む単位を１画素として、複数の画素を備え、マトリクス状に配置される画素により画像を形成する。ＯＬＥＤ駆動回路２２５は、第１制御部１２０の制御に従って、ＯＬＥＤパネル２２３が備える発光素子の選択及び発光素子への通電を実行して、ＯＬＥＤパネル２２３の発光素子を発光させる。第１制御部１２０については、後述にて図４を参照して説明する。
ＯＬＥＤ駆動回路２２５は、ＯＬＥＤパネル２２３の裏面すなわち発光面の裏側に、ボンディング等により固定される。ＯＬＥＤ駆動回路２２５は、例えばＯＬＥＤパネル２２３を駆動する半導体デバイスで構成され、ＯＬＥＤパネル２２３の裏面に固定される基板（図示略）に実装されてもよい。この基板には図４に示す温度センサー２１７が実装される。
なお、ＯＬＥＤパネル２２３は、白色に発光する発光素子をマトリクス状に配置し、Ｒ、Ｇ、Ｂの各色に対応するカラーフィルターを重ねて配置する構成であってもよい。また、Ｒ、Ｇ、Ｂの色光をそれぞれ放射する発光素子に加え、Ｗ（白）の光を発する発光素子を備えるＷＲＧＢ構成のＯＬＥＤパネル２２３を用いてもよい。
【００４７】
右光学系２５１は、ＯＬＥＤパネル２２３から射出された画像光Ｌを並行状態の光束にするコリメートレンズを有する。コリメートレンズにより並行状態の光束にされた画像光Ｌは、右導光板２６に入射する。右導光板２６の内部において光を導く光路には、画像光Ｌを反射する複数の反射面が形成される。画像光Ｌは、右導光板２６の内部で複数回の反射を経て右眼ＲＥ側に導かれる。右導光板２６には、右眼ＲＥの眼前に位置するハーフミラー２６１（反射面）が形成される。画像光Ｌは、ハーフミラー２６１で反射して右眼ＲＥに向けて右導光板２６から射出され、この画像光Ｌが右眼ＲＥの網膜に像を結び、使用者に画像を視認させる。
【００４８】
また、使用者の左眼ＬＥに画像を視認させる構成として、左表示部２４は、画像光を発するＯＬＥＤユニット２４１と、ＯＬＥＤユニット２４１が発する画像光Ｌを導くレンズ群等を備えた左光学系２５２とを備える。画像光Ｌは、左光学系２５２により左導光板２８に導かれる。
【００４９】
ＯＬＥＤユニット２４１は、ＯＬＥＤパネル２４３と、ＯＬＥＤパネル２４３を駆動するＯＬＥＤ駆動回路２４５とを有する。ＯＬＥＤパネル２４３は、ＯＬＥＤパネル２２３と同様に構成される自発光型の表示パネルである。ＯＬＥＤ駆動回路２４５は、第１制御部１２０の指示に従って、ＯＬＥＤパネル２４３が備える発光素子の選択及び発光素子への通電を実行して、ＯＬＥＤパネル２４３の発光素子を発光させる。
ＯＬＥＤ駆動回路２４５は、ＯＬＥＤパネル２４３の裏面すなわち発光面の裏側に、ボンディング等により固定される。ＯＬＥＤ駆動回路２４５は、例えばＯＬＥＤパネル２４３を駆動する半導体デバイスで構成され、ＯＬＥＤパネル２４３の裏面に固定される基板（図示略）に実装されてもよい。この基板には、図４に示す温度センサー２３９が実装される。
【００５０】
左光学系２５２は、ＯＬＥＤパネル２４３から射出された画像光Ｌを並行状態の光束にするコリメートレンズを有する。コリメートレンズにより並行状態の光束にされた画像光Ｌは、左導光板２８に入射する。左導光板２８は、画像光Ｌを反射する複数の反射面が形成された光学素子であり、例えばプリズムである。画像光Ｌは、左導光板２８の内部で複数回の反射を経て左眼ＬＥ側に導かれる。左導光板２８には、左眼ＬＥの眼前に位置するハーフミラー２８１（反射面）が形成される。画像光Ｌは、ハーフミラー２８１で反射して左眼ＬＥに向けて左導光板２８から射出され、この画像光Ｌが左眼ＬＥの網膜に像を結び、使用者に画像を視認させる。
【００５１】
この構成によれば、ＨＭＤ１００は、透過型の表示装置として機能する。すなわち、使用者の右眼ＲＥには、ハーフミラー２６１で反射した画像光Ｌと、右導光板２６を透過した外光ＯＬとが入射する。また、左眼ＬＥには、ハーフミラー２８１で反射した画像光Ｌと、ハーフミラー２８１を透過した外光ＯＬとが入射する。このように、ＨＭＤ１００は、内部で処理した画像の画像光Ｌと外光ＯＬとを重ねて使用者の眼に入射させ、使用者にとっては、右導光板２６及び左導光板２８を透かして外景が見え、この外景に重ねて、画像光Ｌによる画像が視認される。
ハーフミラー２６１、２８１は、右表示部２２及び左表示部２４がそれぞれ出力する画像光を反射して画像を取り出す画像取り出し部であり、表示部ということができる。
【００５２】
なお、左光学系２５２と左導光板２８とを総称して「左導光部」とも呼び、右光学系２５１と右導光板２６とを総称して「右導光部」と呼ぶ。右導光部及び左導光部の構成は上記の例に限定されず、画像光を用いて使用者の眼前に虚像を形成する限りにおいて任意の方式を用いることができ、例えば、回折格子を用いても良いし、半透過反射膜を用いても良い。
【００５３】
図３は、映像表示部２０の要部の構成を示す図である。図３は、映像表示部２０を使用者の頭部側から見た要部斜視図である。なお、図３では接続ケーブル４０の図示を省略する。
【００５４】
図３は、映像表示部２０の使用者の頭部に接する側、言い換えれば使用者の右眼ＲＥ及び左眼ＬＥに見える側である。別の言い方をすれば、図３では、右導光板２６及び左導光板２８の裏側が見えている。
図３では、使用者の右眼ＲＥに画像光を照射するハーフミラー２６１、及び、左眼ＬＥに画像光を照射するハーフミラー２８１が、略四角形の領域として見える。また、ハーフミラー２６１を含む右導光板２６の全体、及びハーフミラー２８１を含む左導光板２８の全体が、上述したように外光を透過する。このため、使用者には、右導光板２６及び左導光板２８の全体を透過して外景が視認され、ハーフミラー２６１、２８１の位置に矩形の表示画像が視認される。
【００５５】
また、一般に、人間の視野角は水平方向におよそ２００度、垂直方向におよそ１２５度とされ、そのうち情報受容能力に優れる有効視野は水平方向に３０度、垂直方向に２０度程度である。さらに、人間が注視する注視点が迅速に安定して見える安定注視野は、水平方向に６０〜９０度、垂直方向に４５度〜７０度程度とされている。
使用者が映像表示部２０を透過して右導光板２６及び左導光板２８を透過して視認する実際の視野を、実視野（ＦＯＶ：Ｆｉｅｌｄ  Ｏｆ  Ｖｉｅｗ）と呼ぶことができる。図３に示す実施形態の構成で、実視野は、右導光板２６及び左導光板２８を透過して使用者が視認する実際の視野に対応する。実視野は、視野角及び安定注視野より狭いが、有効視野より広い。
【００５６】
また、映像表示部２０の使用者側には内側カメラ６８が配置される。内側カメラ６８は、使用者の右眼ＲＥ、及び、左眼ＬＥのそれぞれに対応するように、右導光板２６と左導光板２８との中央位置に一対、設けられる。内側カメラ６８は、使用者の右眼ＲＥと左眼ＬＥとをそれぞれ撮像する一対のカメラである。内側カメラ６８は、第１制御部１２０の指示に従って撮像を行う。第１制御部１２０は、内側カメラ６８の撮像画像データを解析する。例えば、第１制御部１２０は、内側カメラ６８の撮像画像データから右眼ＲＥ及び左眼ＬＥの眼球表面における反射光や瞳孔の画像を検出し、使用者の視線方向を特定する。また、第１制御部１２０は、使用者の視線方向の変化を求めることができ、右眼ＲＥ及び左眼ＬＥのそれぞれの眼球運動を検出してもよい。
ここで、使用者の視線の移動は、使用者の仮想視点の移動とみることもできる。
【００５７】
また、第１制御部１２０は、内側カメラ６８の撮像画像データから使用者の右眼ＲＥ及び左眼ＬＥの瞼（眼瞼）の画像を抽出して、眼瞼運動を検出してもよく、眼瞼の状態を検出してもよい。本実施形態では映像表示部２０が一対の内側カメラ６８、６８を備える構成を例示するが、例えば、１つの内側カメラ６８を、映像表示部２０の中央位置に設けてもよい。この場合、１つの内側カメラ６８が、右眼ＲＥ及び左眼ＬＥを撮像できる画角を有することが好ましいが、例えば、右眼ＲＥまたは左眼ＬＥの一方のみを内側カメラ６８により撮像してもよい。すなわち、右眼ＲＥまたは左眼ＬＥのいずれか一方の視線方向、眼球運動、眼瞼運動、眼瞼の状態等を第１制御部１２０が検出する構成としてもよい。
【００５８】
また、第１制御部１２０は、内側カメラ６８の撮像画像から右眼ＲＥ及び左眼ＬＥの視線方向を検出した場合に、右眼ＲＥ及び左眼ＬＥの輻輳角を求めることができる。輻輳角は、使用者が注視する対象物までの距離に対応する。すなわち、使用者が立体的に画像や物体を視認する場合、視認する対象までの距離に対応して、右眼ＲＥ及び左眼ＬＥの輻輳角が定まる。従って、輻輳角を検出することで、使用者が注視する距離を求めることができる。また、使用者の輻輳角を誘導するように画像を表示することにより、立体視を誘導できる。
【００５９】
［１−３．ＨＭＤの各部の構成］
図４は、ＨＭＤ１００を構成する各部の構成を示す図である。
映像表示部２０の右表示部２２は、右表示部基板２１０を有する。右表示部基板２１０には、接続ケーブル４０に接続される右Ｉ／Ｆ（インターフェイス）部２１１、右Ｉ／Ｆ部２１１を介して接続装置１０から入力されるデータを受信する受信部２１３、及び、ＥＥＰＲＯＭ２１５が実装される。右Ｉ／Ｆ部２１１は、受信部２１３、ＥＥＰＲＯＭ２１５、温度センサー２１７、カメラ６１、距離センサー６４、照度センサー６５、及びＬＥＤインジケーター６７を、接続装置１０に接続する。受信部２１３は、ＯＬＥＤユニット２２１を接続装置１０に接続する。
【００６０】
左表示部２４は、左表示部基板２３０を有する。左表示部基板２３０には、接続ケーブル４０に接続される左Ｉ／Ｆ部２３１及び左Ｉ／Ｆ部２３１を介して接続装置１０から入力されるデータを受信する受信部２３３が実装される。また、左表示部基板２３０には、６軸センサー２３５及び磁気センサー２３７が実装される。
左Ｉ／Ｆ部２３１は、受信部２３３、６軸センサー２３５、磁気センサー２３７及び温度センサー２３９を、接続装置１０に接続する。受信部２３３は、ＯＬＥＤユニット２４１を接続装置１０に接続する。
【００６１】
Ｉ／Ｆはインターフェイスの略記である。ＥＥＰＲＯＭはＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略記である。ＯＬＥＤは、Ｏｒｇａｎｉｃ  Ｌｉｇｈｔ  Ｅｍｉｔｔｉｎｇ  Ｄｉｏｄｅの略記である。なお、本実施形態においては、受信部２１３及び受信部２３３の各々を、Ｒｘ２１３、Ｒｘ２３３と記載する場合がある。
【００６２】
ＥＥＰＲＯＭ２１５は、各種のデータを不揮発的に記憶する。ＥＥＰＲＯＭ２１５は、例えば、映像表示部２０が備えるＯＬＥＤユニット２２１、２４１の発光特性や表示特性に関するデータ、右表示部２２または左表示部２４が備えるセンサーの特性に関するデータなどを記憶する。
具体的には、ＯＬＥＤユニット２２１、２４１のガンマ補正に係るパラメーター、温度センサー２１７、２３９の検出値を補償するデータ等を記憶する。これらのデータは、ＨＭＤ１００の工場出荷時の検査によって生成され、ＥＥＰＲＯＭ２１５に書き込まれる。ＥＥＰＲＯＭ２１５が記憶するデータは、第１制御部１２０により読取り可能である。
【００６３】
カメラ６１は、右Ｉ／Ｆ部２１１を介して入力される信号に従って撮像を実行し、撮像画像データを、右Ｉ／Ｆ部２１１に出力する。照度センサー６５は、外光を受光し、受光量または受光強度に対応する検出値を出力する。ＬＥＤインジケーター６７は、右Ｉ／Ｆ部２１１を介して入力される制御信号または駆動電流に従って点灯する。
温度センサー２１７は、ＯＬＥＤユニット２２１の温度を検出し、検出温度に対応する電圧値あるいは抵抗値を、検出値として出力する。
【００６４】
距離センサー６４は、距離検出を実行し、検出結果を示す信号を、右Ｉ／Ｆ部２１１を介して接続装置１０に出力する。距離センサー６４は、例えば、赤外線式深度センサー、超音波式距離センサー、Ｔｉｍｅ  Ｏｆ  Ｆｌｉｇｈｔ式距離センサー、画像検出と音声検出とを組み合わせた距離検出ユニット等を用いることができる。また、ステレオカメラや単眼カメラによるステレオ撮影で得られる画像を処理して距離を検出する構成であってもよい。
【００６５】
受信部２１３は、右Ｉ／Ｆ部２１１を介して接続装置１０から伝送される表示用の映像データを受信し、ＯＬＥＤユニット２２１に出力する。ＯＬＥＤユニット２２１は、接続装置１０が伝送する映像データに基づく映像を表示する。
また、受信部２３３は、左Ｉ／Ｆ部２３１を介して接続装置１０から伝送される表示用の映像データを受信し、ＯＬＥＤユニット２４１に出力する。ＯＬＥＤユニット２２１、２４１は、接続装置１０が伝送する映像データに基づく映像を表示する。
【００６６】
６軸センサー２３５は、３軸加速度センサー、及び、３軸ジャイロセンサーを備えるモーションセンサーである。６軸センサー２３５は、上記のセンサーがモジュール化されたＩＭＵを採用してもよい。磁気センサー２３７は、例えば、３軸の地磁気センサーである。ジャイロセンサーは、角速度センサーとも呼ばれる。ＩＭＵは、Ｉｎｅｒｔｉａｌ  Ｍｅａｓｕｒｅｍｅｎｔ  Ｕｎｉｔの略記である。
【００６７】
温度センサー２３９は、ＯＬＥＤユニット２４１の温度を検出し、検出温度に対応する電圧値あるいは抵抗値を、検出値として出力する。
【００６８】
映像表示部２０の各部は、接続ケーブル４０により接続装置１０から供給される電力により動作する。
【００６９】
映像表示部２０は、右表示部２２に電源部２２９を備え、左表示部２４に電源部２４９を備える。電源部２２９は、接続装置１０が接続ケーブル４０を介して供給する電力を、右表示部基板２１０を含む右表示部２２の各部に分配し、供給する。同様に、電源部２４９は、接続装置１０が接続ケーブル４０を介して供給する電力を、左表示部基板２３０を含む左表示部２４の各部に分配し、供給する。右表示部２２及び左表示部２４は、電圧を変換する変換回路等を備えてもよい。
【００７０】
接続装置１０は、Ｉ／Ｆ部１１０、第１制御部１２０、センサー制御部１２２、表示制御部１２４、電源制御部１２６、不揮発性記憶部１３０、操作部１４０、接続部１４５、及び、音声処理部１４７を備える。
【００７１】
Ｉ／Ｆ部１１０は、コネクター１１Ｄを備える。また、Ｉ／Ｆ部１１０は、コネクター１１Ｄに接続されて、各種通信規格に準拠した通信プロトコルを実行するインターフェイス回路を備える。
【００７２】
Ｉ／Ｆ部１１０は、例えば、コネクター１１Ｄ及びインターフェイス回路を実装したインターフェイス基板であってもよい。また、接続装置１０の第１制御部１２０やセンサー制御部１２２、表示制御部１２４、電源制御部１２６が、図示しない接続装置メイン基板に実装される構成としてもよい。この場合、接続装置メイン基板にＩ／Ｆ部１１０のコネクター１１Ｄ及びインターフェイス回路を実装してもよい。
また、Ｉ／Ｆ部１１０は、例えば、外部の記憶装置や記憶媒体を接続可能なメモリーカード用インターフェイス等を備えてもよいし、Ｉ／Ｆ部１１０を無線通信インターフェイスで構成してもよい。
【００７３】
第１制御部１２０は、接続装置１０の各部を制御する。第１制御部１２０は、ＣＰＵのようなプロセッサーを有する。ＣＰＵは、Ｃｅｎｔｒａｌ  Ｐｒｏｃｅｓｓｉｎｇ  Ｕｎｉｔの略記である。第１制御部１２０において、プロセッサーが制御プログラムを実行することによって、ソフトウェアとハードウェアとの協働によりＨＭＤ１００の各部を制御する。プロセッサーは、「コンピューター」の一例に対応する。第１制御部１２０には、不揮発性記憶部１３０、操作部１４０、接続部１４５、及び音声処理部１４７が接続される。
【００７４】
センサー制御部１２２は、カメラ６１、距離センサー６４、照度センサー６５、温度センサー２１７、６軸センサー２３５、磁気センサー２３７及び温度センサー２３９を制御する。具体的には、センサー制御部１２２は、第１制御部１２０の制御に従って各センサーのサンプリング周期の設定及び初期化を行い、各センサーのサンプリング周期に合わせて、各センサーへの通電、制御データの送信、検出値の取得等を実行する。
【００７５】
センサー制御部１２２は、Ｉ／Ｆ部１１０のコネクター１１Ｄに接続され、予め設定されたタイミングで、各センサーから取得した検出値に関するデータをコネクター１１Ｄに出力する。コネクター１１Ｄに接続されたスマートフォン３００は、ＨＭＤ１００の各センサーの検出値や、カメラ６１の撮像画像データを取得できる。本実施形態では、センサー制御部１２２により、各センサーの検出値、及びカメラ６１の撮像画像データが、スマートフォン３００に出力される。
【００７６】
センサー制御部１２２が出力するデータは、検出値を含むデジタルデータであってもよい。また、センサー制御部１２２は、各センサーの検出値をもとに演算処理した結果のデータを出力してもよい。例えば、センサー制御部１２２は、複数のセンサーの検出値を統合的に処理し、いわゆるセンサーフュージョン処理部として機能する。センサーフュージョンを実行することにより、センサー制御部１２２は、センサーの検出値から求めたデータ、例えば、映像表示部２０の動きの軌跡データや、映像表示部２０の相対座標データ等を出力する。センサー制御部１２２は、コネクター１１Ｄに接続されたスマートフォン３００との間で、データの伝送に関する各種制御データを送受信する機能を有していてもよい。
【００７７】
表示制御部１２４は、Ｉ／Ｆ部１１０に入力される画像データや映像データに基づく画像を映像表示部２０により表示するための各種処理を実行する。本実施形態では、コネクター１１Ｄに、スマートフォン３００が出力する映像信号が入力される。映像信号は、デジタル映像データであるが、アナログ映像信号であってもよい。
表示制御部１２４は、例えば、フレームの切り出し、解像度変換、中間フレーム生成、フレームレート変換等の各種処理を実行する。解像度変換は、いわゆるスケーリングを含む。表示制御部１２４は、ＯＬＥＤユニット２２１、及び、ＯＬＥＤユニット２４１の各々に対応する画像データを接続部１４５に出力する。接続部１４５に入力された画像データは、コネクター１１Ａから、映像信号２０１として右Ｉ／Ｆ部２１１及び左Ｉ／Ｆ部２３１に伝送される。映像信号２０１は、ＯＬＥＤユニット２２１及びＯＬＥＤユニット２４１の各々に対応して処理されたデジタル映像データである。
【００７８】
表示制御部１２４は、例えば、Ｉ／Ｆ部１１０に入力された映像データが３Ｄ映像データである場合に、３Ｄ映像デコードを実行する。３Ｄ映像は、広義の立体映像を含む。３Ｄ映像デコードの処理において、表示制御部１２４は、３Ｄ映像データから右眼用のフレームと左眼用のフレームとを生成する。Ｉ／Ｆ部１１０に入力される３Ｄ映像データの形式は、例えば、サイドバイサイド形式である。
【００７９】
本実施形態では、コネクター１１ＤがＵＳＢ−ＴｙｐｅＣコネクターで構成される。表示制御部１２４は、コネクター１１Ｄを介して、ＵＳＢ−ＴｙｐｅＣの代替モードで伝送される映像データを受信する。
【００８０】
ここで、接続装置１０に対し、映像表示部２０により表示する映像信号を出力する装置、または、映像表示部２０により表示される映像信号を、映像ソースと呼ぶ。本実施形態では、スマートフォン３００が映像信号を接続装置１０に対して出力するため、スマートフォン３００を映像ソースと呼ぶ。
【００８１】
センサー制御部１２２、及び／または表示制御部１２４は、プロセッサーがプログラムを実行することにより、ソフトウェアとハードウェアとの協働により実現されてもよい。すなわち、センサー制御部１２２及び表示制御部１２４は、プロセッサーにより構成され、プログラムを実行することで上記の動作を実行する。この例で、センサー制御部１２２及び表示制御部１２４は、第１制御部１２０を構成するプロセッサーがプログラムを実行することで実現されてもよい。言い換えれば、プロセッサーがプログラムを実行することで、第１制御部１２０、表示制御部１２４、及びセンサー制御部１２２として機能してもよい。ここで、プロセッサーは、コンピューターと言い換えることができる。
【００８２】
また、表示制御部１２４、及び、センサー制御部１２２は、ＤＳＰやＦＰＧＡ等、プログラムされたハードウェアにより構成されてもよい。また、センサー制御部１２２及び表示制御部１２４を統合して、ＳｏＣ−ＦＰＧＡとして構成してもよい。ＤＳＰはＤｉｇｉｔａｌ  Ｓｉｇｎａｌ  Ｐｒｏｃｅｓｓｏｒの略記であり、ＦＰＧＡはＦｉｅｌｄ  Ｐｒｏｇｒａｍｍａｂｌｅ  Ｇａｔｅ  Ａｒｒａｙの略記であり、ＳｏＣはＳｙｓｔｅｍ−ｏｎ−ａ−Ｃｈｉｐの略記である。
【００８３】
電源制御部１２６は、コネクター１１Ｄに接続される。電源制御部１２６は、コネクター１１Ｄから供給される電力に基づき、接続装置１０の各部および映像表示部２０に対する電源供給を行う。また、電源制御部１２６は、図示しない電圧変換回路を備え、電圧を変換して接続装置１０及び映像表示部２０の各部に供給する構成であってもよい。電源制御部１２６は、ロジック回路や、ＦＰＧＡ等のプログラムされた半導体デバイスで構成されてもよい。また、電源制御部１２６をセンサー制御部１２２、及び／または表示制御部１２４と共通のハードウェアで構成してもよい。
【００８４】
センサー制御部１２２、表示制御部１２４及び電源制御部１２６は、データ処理を行うためのワークメモリーを具備してもよく、第１制御部１２０のメモリーを利用して処理を行ってもよい。
【００８５】
操作部１４０は、接続装置１０が備える被操作部に対する操作を検出し、操作内容を示すデータ、または、操作された被操作部を示す操作信号を第１制御部１２０に出力する。
【００８６】
音声処理部１４７は、第１制御部１２０から入力される音声データに従って、音声信号を生成し、接続部１４５に出力する。この音声信号は接続部１４５からオーディオコネクター３６を介して右イヤホン３２及び左イヤホン３４に出力される。また、音声処理部１４７は、第１制御部１２０の制御に従って、音声信号のボリュームを調整する。また、音声処理部１４７は、マイク６３が集音した音声の音声データを生成し、第１制御部１２０に出力する。この音声データは、第１制御部１２０により、映像表示部２０が備えるセンサーの検出値と同様に処理されてもよい。
【００８７】
また、接続装置１０は図示しないバッテリーを備え、このバッテリーから接続装置１０及び映像表示部２０の各部に電力を供給する構成であってもよい。接続装置１０が備えるバッテリーは、充電可能な二次電池であってもよい。
【００８８】
［１−４．スマートフォンの構成］
図５は、ＨＭＤ１００の第１制御部１２０とスマートフォン３００との構成を示す図である。
スマートフォン３００は、第２制御部３１０、不揮発性記憶部３２０、表示部３３０、Ｉ／Ｆ部３４１及び通信部３４５を備える。
第２制御部３１０は、ＣＰＵやマイコン等のプロセッサーを備え、このプロセッサーによりプログラムを実行することにより、スマートフォン３００の各部を制御する。第２制御部３１０は、プロセッサーが実行する制御プログラムを不揮発的に記憶するＲＯＭ、及び、プロセッサーのワークエリアを構成するＲＡＭを備えてもよい。プロセッサーは、いわゆる「コンピューター」の一例に対応する。ＲＯＭは、Ｒｅａｄ  Ｏｎｌｙ  Ｍｅｍｏｒｙの略記であり、ＲＡＭは、Ｒａｎｄｏｍ  Ａｃｃｅｓｓ  Ｍｅｍｏｒｙの略記である。
【００８９】
不揮発性記憶部３２０は、第２制御部３１０により実行されるプログラムや、第２制御部３１０が処理するデータを不揮発的に記憶する。不揮発性記憶部１３０は、例えば、ＨＤＤ等の磁気的記録装置、或いは、フラッシュメモリー等の半導体記憶素子を用いた記憶装置である。ＨＤＤは、Ｈａｒｄ  Ｄｉｓｋ  Ｄｒｉｖｅの略記である。
【００９０】
不揮発性記憶部３２０は、例えば、映像を含むコンテンツのコンテンツデータ３２１を記憶する。コンテンツデータ３２１は、第２制御部３１０により処理可能なフォーマットのファイルであり、映像データを含み、音声データを含んでもよい。
また、不揮発性記憶部３２０は、第２制御部３１０が実行する基本制御プログラムとしてのオペレーティングシステム（ＯＳ）、ＯＳをプラットフォームとして動作するアプリケーションプログラム等を記憶する。また、不揮発性記憶部３２０は、アプリケーションプログラムの実行時に処理されるデータや処理結果のデータを記憶する。ＯＳは、Ｏｐｅｒａｔｉｎｇ  Ｓｙｓｔｅｍの略記である。
【００９１】
表示部３３０が備える表示パネル３３１及びタッチセンサー３３２は、第２制御部３１０に接続される。表示パネル３３１は、第２制御部３１０の制御に基づき各種画像を表示する。表示パネル３３１は、例えばＬＣＤ（Ｌｉｑｕｉｄ  Ｃｒｙｓｔａｌ  Ｄｉｓｐｌａｙ）で構成される。表示パネル３３１は、「第２表示部」の一例に対応する。
タッチセンサー３３２は、タッチ操作を検出し、検出した操作を示すデータを第２制御部３１０に出力する。タッチセンサー３３２が出力するデータは、タッチセンサー３３２における操作位置を示す座標データ等である。
【００９２】
Ｉ／Ｆ部３４１は、外部の装置に接続されるインターフェイスであり、本発明の出力部に相当する。Ｉ／Ｆ部３４１は、例えば、ＨＤＭＩインターフェイス、ＵＳＢインターフェイス等の規格に準拠した通信を実行する。Ｉ／Ｆ部３４１は、ＵＳＢケーブル４６を接続するコネクター、及びコネクターを伝送される信号を処理するインターフェイス回路を備える。Ｉ／Ｆ部３４１は、コネクター及びインターフェイス回路を有するインターフェイス基板であり、第２制御部３１０のプロセッサー等が実装されるメイン基板に接続される。或いは、Ｉ／Ｆ部３４１を構成するコネクター及びインターフェイス回路が、スマートフォン３００のメイン基板に実装される。
本実施形態で、Ｉ／Ｆ部３４１は、ＵＳＢインターフェイスを備え、ＵＳＢケーブル４６により、コネクター１１Ｄに接続される。第２制御部３１０は、例えば、ＵＳＢケーブル４６により映像データを出力し、接続装置１０からセンサーの出力値に関するデータ等を受信する。
また、Ｉ／Ｆ部３４１は、無線通信インターフェイスであってもよい。この場合、Ｉ／Ｆ部３４１は、ＲＦ部を含む通信回路を実装したインターフェイス基板、或いは、メイン基板に実装される回路とすることができる。
【００９３】
通信部３４５は、外部の装置とデータ通信を実行する通信インターフェイスである。通信部３４５は、ケーブルを接続可能な有線通信インターフェイスであってもよいし、無線通信インターフェイスであってもよい。例えば、Ｅｔｈｅｒｎｅｔ（登録商標）に対応する有線ＬＡＮインターフェイスや、ＩＥＥＥ８０２．１１規格に対応する無線ＬＡＮインターフェイスであってもよい。
また、通信部３４５は、例えば、他のスマートフォンと無線電話回線で接続する通信インターフェイスである。
【００９４】
第２制御部３１０は、第２表示制御部３１１、検出部３１２、受付部３１３及び送信部３１５を備える。具体的には、第２制御部３１０は、第２制御部３１０が備えるプロセッサーが制御プログラムを実行することにより、第２表示制御部３１１、検出部３１２、受付部３１３及び送信部３１５として機能する。
【００９５】
第２表示制御部３１１は、コンテンツデータ３２１を再生し、コンテンツデータ３２１に含まれる映像データに対応する画像を表示部３３０の表示パネル３３１に表示する。画像については、後述にて図６〜図８を参照して説明する。
また、第２表示制御部３１１は、操作メニュー画像を表示部３３０の表示パネル３３１に表示する。操作メニュー画像は、使用者が画像の明るさ等を調整する場合に表示される。具体的には、第２表示制御部３１１は、操作メニュー画像の位置を、分割位置に対応する位置から離間させる。操作メニュー画像は、「調整オブジェクト」の一例に対応する。
分割位置は、右画像と左画像との境界に位置する。右画像は、ＨＭＤ１００の右表示部２２によって表示される画像を示す。左画像は、ＨＭＤ１００の左表示部２４によって表示される画像を示す。操作メニュー画像、分割位置、右画像及び左画像については、後述にて図６〜図８を参照して説明する。
【００９６】
また、第２表示制御部３１１は、検出部３１２の検出結果に応じて、表示部３３０に表示する画像の輝度を、設定された輝度よりも低減する。具体的には、ＨＭＤ１００が接続されたことを検出部３１２が検出した場合には、第２表示制御部３１１は、表示部３３０に表示する画像の輝度を、設定された輝度よりも低減する。「設定された輝度」を以下の説明では、「通常状態の輝度」と記載する場合がある。
更に具体的には、第２表示制御部３１１は、画像に一定の濃度の画像を重畳することによって、表示部３３０に表示する画像の輝度を低減する。「一定の濃度の画像」を、以下の説明では、「暗画像」と記載する場合がある。「暗画像」は、具体的には、一定濃度の灰色の画像である。すなわち、表示部３３０に表示する画像の上層に、暗画像が形成されたレイヤーを仮想的に重ねることによって、第２表示制御部３１１は、表示部３３０に表示する画像の輝度を低減する。
【００９７】
検出部３１２は、ＨＭＤ１００が接続されたことを検出する。具体的には、検出部３１２は、Ｉ／Ｆ部３４１のコネクターにＨＭＤ１００のコネクター１１Ｄが接続されたことを検出することによって、ＨＭＤ１００が接続されたことを検出する。
【００９８】
受付部３１３は、使用者の入力を受け付ける。具体的には、受付部３１３は、表示部３３０のタッチセンサー３３２を介して、使用者の操作入力を受け付ける。
【００９９】
送信部３１５は、第２表示制御部３１１が表示部３３０の表示パネル３３１に表示する画像に対応する画像データをＨＭＤ１００に送信する。
【０１００】
スマートフォン３００が接続装置１０に出力する映像データは、コンテンツデータ３２１を再生した映像データのほか、スマートフォン３００が表示部３３０の表示パネル３３１により表示している画像に対応する映像データとすることができる。この場合、ＨＭＤ１００は、表示パネル３３１と同じ画像を表示し、いわゆる「ミラーリング表示」を行う。
【０１０１】
［１−５．ＨＭＤの第１制御部の構成］
ＨＭＤ１００の第１制御部１２０は、第１表示制御部１２１及び受信部１２３を備える。具体的には、第１制御部１２０は、第１制御部１２０が備えるプロセッサーが制御プログラムを実行することにより、第１表示制御部１２１及び受信部１２３として機能する。
【０１０２】
受信部１２３は、スマートフォン３００から画像を受信する。具体的には、受信部１２３は、スマートフォン３００の送信部３１５が送信する画像を受信する。すなわち、受信部１２３は、コンテンツデータ３２１に含まれる映像データに対応する画像を受信する。換言すれば、受信部１２３は、表示部３３０に表示される画像を受信する。
【０１０３】
第１表示制御部１２１は、受信部１２３が受信した画像を、設定された分割位置で分割することにより複数の分割画像とする。そして、第１表示制御部１２１は、各々の分割画像を映像表示部２０により表示させる。
具体的には、第１表示制御部１２１は、受信部１２３が受信した画像を、設定された分割位置で分割することにより、右画像と左画像とを生成する。右画像と左画像とは、「分割画像」の一例に対応する。そして、第１表示制御部１２１は、右画像を右表示部２２により表示させ、左画像を左表示部２４により表示させる。
更に具体的には、第１表示制御部１２１は、右画像を右Ｉ／Ｆ部２１１を介してＯＬＥＤユニット２２１に伝送し、ＯＬＥＤユニット２２１により右画像を表示させる。また、第１表示制御部１２１は、左画像を左Ｉ／Ｆ部２３１を介してＯＬＥＤユニット２４１に伝送し、ＯＬＥＤユニット２４１により左画像を表示させる。
【０１０４】
［２．具体例を用いた制御部の処理の説明］
図６〜図８の各々は、スマートフォン３００が備える表示部３３０の表示パネル３３１に表示される画像ＰＴと、ＨＭＤ１００の右表示部２２に表示される右画像ＲＰと、ＨＭＤ１００の左表示部２４に表示される左画像ＬＰとを示す図である。
図６〜図８の各々において、上段に画像ＰＴの一例を示し、下段の右部に右画像ＲＰの一例を示し、下段の左部に左画像ＬＰの一例を示す。
なお、図６〜図８においては、受信部１２３が受信した画像を、第１表示制御部１２１が分割位置で分割するように設定されている場合について説明する。
【０１０５】
図６は、スマートフォン３００及びＨＭＤ１００に表示される画像の一例を示す図である。図６には、スマートフォン３００が備える表示部３３０に表示される画像ＰＴ１と、ＨＭＤ１００の右表示部２２に表示される右画像ＲＰ１と、ＨＭＤ１００の左表示部２４に表示される左画像ＬＰ１とが記載されている。
画像ＰＴ１は、サイドバイサイド形式の３Ｄ映像データに対応する画像である。画像ＰＴ１は、右画像ＲＰ１と、左画像ＬＰ１と、境界線画像ＰＣＬと、を含む。右画像ＲＰ１は、操作メニュー画像ＰＣを含む。画像ＰＴ１は、第２表示制御部３１１によって表示部３３０に表示される。
【０１０６】
第２表示制御部３１１は、操作メニュー画像ＰＣを画像ＰＴ１の右上領域に表示する。また、第２表示制御部３１１は、操作メニュー画像ＰＣを縦長に表示する。すなわち、第２表示制御部３１１は、操作メニュー画像ＰＣの上下方向のサイズが、操作メニュー画像ＰＣの左右方向のサイズよりも大きくなるように操作メニュー画像ＰＣを表示する。操作メニュー画像ＰＣは、「調整オブジェクト」の一例に対応する。
【０１０７】
具体的には、受付部３１３が、タッチセンサー３３２を介して、使用者の操作入力を受け付け場合には、第２表示制御部３１１は、操作メニュー画像ＰＣを表示部３３０に表示する。使用者の操作入力は、例えば、表示部３３０のタップ操作である。
受付部３１３が、タッチセンサー３３２を介して、使用者の操作入力を受け付けない場合には、第２表示制御部３１１は、操作メニュー画像ＰＣを表示部３３０に表示しない。例えば、受付部３１３が使用者の操作入力を受け付けた時点から、第２所定時間以上継続して受付部３１３が使用者の操作入力を受け付けない場合には、第２表示制御部３１１は、表示部３３０に表示された操作メニュー画像ＰＣを非表示にする。第２所定時間は、例えば３０秒間である。
【０１０８】
操作メニュー画像ＰＣは、輝度調整アイコンＰＣ１、音量調整アイコンＰＣ２、分割調整アイコンＰＣ３及びその他調整アイコンＰＣ４を含む。輝度調整アイコンＰＣ１は、画像ＰＴ１の明るさを調整する場合に、使用者によってタップされる。輝度調整アイコンＰＣ１がタップされた場合には、例えば、輝度を調整するスライドバーが表示される。使用者は、スライドバーのノブをスライドすることによって輝度を調整できる。
【０１０９】
音量調整アイコンＰＣ２は、右イヤホン３２及び左イヤホン３４から出力される音量を調整する場合に、使用者によってタップされる。音量調整アイコンＰＣ２がタップされた場合には、例えば、音量を調整するスライドバーが表示される。音量を調整するスライドバーについては、後述にて図８を参照して説明する。
【０１１０】
分割調整アイコンＰＣ３は、受信部１２３が受信した画像ＰＴを第１表示制御部１２１が分割するか否かを切り換える場合に、使用者によってタップされる。
具体的には、第１表示制御部１２１が画像ＰＴを分割するように設定されている状態で、分割調整アイコンＰＣ３がタップされた場合には、第２制御部３１０は、第１表示制御部１２１が画像ＰＴを分割しない設定に切り換える。第１表示制御部１２１が画像ＰＴを分割しないように設定されている状態で、分割調整アイコンＰＣ３がタップされた場合には、第２制御部３１０は、第１表示制御部１２１が画像ＰＴを分割する設定に切り換える。
【０１１１】
第１表示制御部１２１が画像を分割する設定である場合には、第１表示制御部１２１は、受信部１２３が受信した画像ＰＴを、設定された分割位置で分割することにより、右画像ＲＰと左画像ＬＰとを生成する。そして、第１表示制御部１２１は、右画像ＲＰを右表示部２２により表示させ、左画像ＬＰを左表示部２４により表示させる。
なお、第１表示制御部１２１が画像ＰＴを分割しない設定である場合には、第１表示制御部１２１は、受信部１２３が受信した画像ＰＴを、右表示部２２及び左表示部２４の各々により表示させる。
【０１１２】
その他調整アイコンＰＣ４は、その他の調整を実行する場合に、使用者によってタップされる。その他の調整とは、画像ＰＴ１の輝度の調整、音量の調整、及び画像ＰＴを分割するか否かの設定以外の調整を示す。その他の調整は、例えば、画像ＰＴ１の色合いの調整を含む。その他調整アイコンＰＣ４がタップされた場合には、第２表示制御部３１１は、その他の調整を行うための画像を表示部３３０に表示する。
【０１１３】
右画像ＲＰ１は、ダイバーを示す画像ＰＤＲを含む。左画像ＬＰ１は、ダイバーを示す画像ＰＤＬを含む。右画像ＲＰ１がＨＭＤ１００の右表示部２２に表示され、左画像ＬＰ１がＨＭＤ１００の左表示部２４に表示されたときに、使用者によってダイバーが３次元に見えるように、画像ＰＤＲ及び画像ＰＤＬが形成されている。換言すれば、画像ＰＴ１は、サイドバイサイド形式の３Ｄ映像データに対応する画像である。そこで、右画像ＲＰ１がＨＭＤ１００の右表示部２２に表示され、左画像ＬＰ１がＨＭＤ１００の左表示部２４に表示されたときに、使用者によってダイバーが３次元に見える。
【０１１４】
境界線画像ＰＣＬは、画像ＰＴ１において、中心線ＣＬの位置に配置される。境界線画像ＰＣＬの位置は、「設定された分割位置」の一例に対応する。中心線ＣＬは、画像ＰＴ１の左右方向の中心位置を示す。
ＨＭＤ１００の第１制御部１２０の第１表示制御部１２１は、画像ＰＴ１を境界線画像ＰＣＬの位置で分割することにより、右画像ＲＰ１と左画像ＬＰ１とを生成する。そして、第１表示制御部１２１は、右画像ＲＰ１を右表示部２２により表示させ、左画像ＬＰ１を左表示部２４により表示させる。
【０１１５】
また、右画像ＲＰ１が操作メニュー画像ＰＣを含み、右画像ＲＰ１は、第１表示制御部１２１によって、右表示部２２に表示される。したがって、使用者は、右眼で操作メニュー画像ＰＣを視認できる。
【０１１６】
図７は、スマートフォン３００及びＨＭＤ１００に表示される画像の別の一例を示す図である。図７には、スマートフォン３００が備える表示部３３０に表示される画像ＰＴ２と、ＨＭＤ１００の右表示部２２に表示される右画像ＲＰ２と、ＨＭＤ１００の左表示部２４に表示される左画像ＬＰ２とが記載されている。
図６に示す画像ＰＴ１が、サイドバイサイド形式の３Ｄ映像データに対応する画像であるのに対して、図７に示す画像ＰＴ２が２Ｄ映像データに対応する画像である点で相違している。以下では、図６と共通する点についてはその説明を省略し、図６と相違する点について主に説明する。
【０１１７】
画像ＰＴ２がサイドバイサイド形式の３Ｄ映像データに対応する画像ではないため、画像ＰＴ２は、境界線画像ＰＣＬを含まない。
画像ＰＴ２は、操作メニュー画像ＰＣを含む。第２表示制御部３１１は、操作メニュー画像ＰＣを画像ＰＴ２の右上領域に表示する。また、第２表示制御部３１１は、操作メニュー画像ＰＣを縦長に表示する。画像ＰＴは、ダイバーを示す画像ＰＤを含む。
なお、本実施形態では、第２表示制御部３１１は、操作メニュー画像ＰＣを画像ＰＴ２の右上領域に表示するが、第２表示制御部３１１は、操作メニュー画像ＰＣを画像ＰＴ２の右領域に表示してもよい。また、第２表示制御部３１１が操作メニュー画像ＰＣと相違する他の調整オブジェクトを画像ＰＴ２に表示する場合には、第２表示制御部３１１は、操作メニュー画像ＰＣを他の調整オブジェクトと重ならないように表示する。
【０１１８】
第１表示制御部１２１が分割位置で分割するように設定されているため、画像ＰＴ２は、以下のように処理される。すなわち、ＨＭＤ１００の第１制御部１２０の第１表示制御部１２１は、画像ＰＴ２を中心線ＣＬの位置で分割することにより、右画像ＲＰ２と左画像ＬＰ２とを生成する。そして、第１表示制御部１２１は、右画像ＲＰ２を右表示部２２により表示させ、左画像ＬＰ２を左表示部２４により表示させる。中心線ＣＬは、画像ＰＴ２の左右方向の中心位置を示す。
【０１１９】
ダイバーを示す画像ＰＤは、ダイバーの上半身部を示す第１画像ＰＤ１とダイバーの下半身部を示す第２画像ＰＤ２とで構成される。右画像ＲＰ２は、第１画像ＰＤ１と操作メニュー画像ＰＣとを含む。左画像ＬＰ２は、第２画像ＰＤ２を含む。
【０１２０】
図８は、スマートフォン３００及びＨＭＤ１００に表示される画像の更に別の一例を示す図である。図８には、スマートフォン３００が備える表示部３３０に表示される画像ＰＴ１と、ＨＭＤ１００の右表示部２２に表示される右画像ＲＰ１と、ＨＭＤ１００の左表示部２４に表示される左画像ＬＰ１とが記載されている。
図６に示す画像ＰＴ１は、操作メニュー画像ＰＣを含むが、図８に示す画像ＰＴ１は、操作メニュー画像ＰＣに換えて音量調整画像ＰＳを含む点で相違している。以下では、図６と共通する点についてはその説明を省略し、図６と相違する点について主に説明する。
【０１２１】
画像ＰＴ１は、サイドバイサイド形式の３Ｄ映像データに対応する画像である。画像ＰＴ１は、右画像ＲＰ１と、左画像ＬＰ１と、境界線画像ＰＣＬと、を含む。右画像ＲＰ１は、音量調整画像ＰＳを含む。画像ＰＴ１は、第２表示制御部３１１によって表示部３３０に表示される。
音量調整画像ＰＳは、図６に示す操作メニュー画像ＰＣの音量調整アイコンＰＣ２が使用者によってタップされた場合に、第２表示制御部３１１によって表示部３３０に表示される。
【０１２２】
第２表示制御部３１１は、音量調整画像ＰＳを画像ＰＴ１の右上領域に表示する。また、第２表示制御部３１１は、音量調整画像ＰＳを横長に表示する。すなわち、第２表示制御部３１１は、音量調整画像ＰＳの上下方向のサイズが、音量調整画像ＰＳの左右方向のサイズよりも小さくなるように音量調整画像ＰＳを表示する。音量調整画像ＰＳは、「調整オブジェクト」の一例に対応する。また、音量調整画像ＰＳは、「スライドバーオブジェクト」の一例に対応する。
【０１２３】
音量調整画像ＰＳは、音量画像ＰＳ１と、スライドバー画像ＰＳ２と、ノブ画像ＰＳ３と、音量表示画像ＰＳ４とを含む。
音量画像ＰＳ１は、音量を調整するためのスライドバーであることを示す。スライドバー画像ＰＳ２は、左右方向に延びるスライドバーを示す。ノブ画像ＰＳ３は、ノブを示す。ノブ画像ＰＳ３は、スライドバー画像ＰＳ２に沿って左右方向に移動可能に構成される。音量表示画像ＰＳ４は、設定されている音量のレベルを示す。
【０１２４】
使用者は、音量を増加する場合には、ノブ画像ＰＳ３を右方向にスライドする。この操作が行われた場合に、第２表示制御部３１１は、ノブ画像ＰＳ３を右方向に移動して表示し、音量表示画像ＰＳ４を右方向に延ばして表示する。そして、第２制御部３１０は、スマートフォン３００が接続装置１０に出力する音声データの音量が増加するように、音声データを調整する。なお、第２制御部３１０は、接続装置１０に対して音量を増加する旨のコマンド情報を送信してもよい。
また、使用者は、音量を減少する場合には、ノブ画像ＰＳ３を左方向にスライドする。この操作が行われた場合に、第２表示制御部３１１は、ノブ画像ＰＳ３を左方向に移動して表示し、音量表示画像ＰＳ４を左方向に縮ませて表示する。そして、第２制御部３１０は、スマートフォン３００が接続装置１０に出力する音声データの音量が減少するように、音声データを調整する。なお、第２制御部３１０は、接続装置１０に対して音量を減少する旨のコマンド情報を送信してもよい。
【０１２５】
また、右画像ＲＰ１が音量調整画像ＰＳを含み、右画像ＲＰ１は、第１表示制御部１２１によって、右表示部２２に表示される。したがって、使用者は、右眼で音量調整画像ＰＳを視認できる。
【０１２６】
本実施形態では、スライドバーオブジェクトの一例として音量調整画像ＰＳについて記載したが、これに限定されない。スライドバーオブジェクトが、映像の再生位置を調整するオブジェクトでもよい。この場合に、スライドバーオブジェクトは、いわゆる、「シークバー」の一例に対応する。
【０１２７】
図９は、スマートフォン３００に表示される画像の更に別の一例を示す図である。図９は、スマートフォン３００が、ＨＭＤ１００に接続された場合に、第２制御部３１０が表示部３３０に表示する画像を示す。
表示部３３０の上部には、通知表示領域ＡＲが設定される。通知表示領域ＡＲには、スマートフォン３００が実行中のアプリケーションソフト等からの種々のメッセージが表示される。通知表示領域ＡＲには、第１メッセージ画像ＭＧ１、第２メッセージ画像ＭＧ２及び第３メッセージ画像ＭＧ３が表示されている。
【０１２８】
第１メッセージ画像ＭＧ１は、第２表示制御部３１１によって表示される。第１メッセージ画像ＭＧ１は、スマートフォン３００がＨＭＤ１００に接続されていることと、操作メニュー画像ＰＣを表示する場合には第１メッセージ画像ＭＧ１をタップすることとを示す。
具体的には、第１メッセージ画像ＭＧ１には、「ＨＭＤと接続中・・・」との文字画像が表示され、使用者は、スマートフォン３００がＨＭＤ１００に接続されていることが判る。また、第１メッセージ画像ＭＧ１には、「操作メニューを表示する場合にはタップして下さい。」との文字画像が表示され、使用者は、操作メニュー画像ＰＣを表示する場合には第１メッセージ画像ＭＧ１をタップすることが判る。
【０１２９】
第２メッセージ画像ＭＧ２は、アプリケーションソフトからの指示に基づいて、第２表示制御部３１１によって表示される。第２メッセージ画像ＭＧ２には、「上田市の天気：曇り、気温：５℃」との文字画像が表示されている。
第３メッセージ画像ＭＧ３は、ＯＳからの指示に基づいて、第２表示制御部３１１によって表示される。第３メッセージ画像ＭＧ３には、「システム：３個のアプリがバックグラウンドで実行中です。」との文字画像が表示されている。
【０１３０】
［３．第２制御部の処理の説明］
図１０及び図１１は、スマートフォン３００の第２制御部３１０の処理を示すフローチャートである。
まず、図１０に示すように、ステップＳＡ１０１において、検出部３１２は、ＨＭＤ１００が接続されたことを検出したか否かを判定する。
ＨＭＤ１００が接続されたことを検出していないと検出部３１２が判定した場合（ステップＳＡ１０１：ＮＯ）には、処理が待機状態になる。ＨＭＤ１００が接続されたことを検出したと検出部３１２が判定した場合（ステップＳＡ１０１：ＹＥＳ）には、処理がステップＳＡ１０３に進む。
そして、ステップＳＡ１０３において、第２表示制御部３１１は、ＨＭＤ１００が接続されたことを示す接続メッセージを表示部３３０に表示させる。具体的には、第２表示制御部３１１は、図９に示す第１メッセージ画像ＭＧ１を表示部３３０に表示させる。
【０１３１】
次に、ステップＳＡ１０５において、第２制御部３１０は、ＨＭＤ１００の接続装置１０との間でＵＳＢ規格での通信を確立する。具体的には、第２制御部３１０は、ＨＭＤ１００の接続装置１０に対して、映像データの送信、及び電力の供給を可能にする。また、第２制御部３１０は、ＨＭＤ１００の接続装置１０からの操作データの受信を可能にする。操作データは、接続装置１０の操作部１４０が使用者によって操作された場合に、接続装置１０から第２制御部３１０に送出される。
次に、ステップＳＡ１０７において、第２制御部３１０は、コンテンツデータ３２１の再生処理を開始する。そして、第２表示制御部３１１は、画像ＰＴを表示部３３０に表示し、送信部３１５は、画像ＰＴに対応する画像データをＨＭＤ１００に送信する。
次に、ステップＳＡ１０９において、第２制御部３１０は、「第１輝度調整処理」を実行する。「第１輝度調整処理」は、受付部３１３が使用者の入力を受け付けていない場合に、第２表示制御部３１１が表示部３３０に表示する画像の輝度を、設定された輝度よりも低減する処理である。「第１輝度調整処理」については、後述にて図１２を参照して説明する。
【０１３２】
次に、ステップＳＡ１１１において、第２制御部３１０は、表示部３３０のタッチセンサー３３２を介して、第１メッセージ画像ＭＧ１のタップを検出したか否かを検出する。
第１メッセージ画像ＭＧ１のタップを検出していないと第２制御部３１０が判定した場合（ステップＳＡ１１１：ＮＯ）には、処理がステップＳＡ１２９に進む。第１メッセージ画像ＭＧ１のタップを検出したと第２制御部３１０が判定した場合（ステップＳＡ１１１：ＹＥＳ）には、処理がステップＳＡ１１３に進む。
そして、ステップＳＡ１１３において、第２表示制御部３１１は、操作メニュー画像ＰＣを画像ＰＴの右上領域に配置し、操作メニュー画像ＰＣを表示部３３０に表示する。
次に、ステップＳＡ１１５において、第２制御部３１０は、表示部３３０のタッチセンサー３３２を介して、操作メニュー画像ＰＣに含まれる複数のアイコンのいずれかのタップを検出したか否かを判定する。複数のアイコンは、例えば、輝度調整アイコンＰＣ１、音量調整アイコンＰＣ２、分割調整アイコンＰＣ３及びその他調整アイコンＰＣ４である。
【０１３３】
操作メニュー画像ＰＣに含まれる複数のアイコンのいずれかのタップを検出したと第２制御部３１０が判定した場合（ステップＳＡ１１５：ＹＥＳ）には、処理が図１１に示すステップＳＡ２０１に進む。操作メニュー画像ＰＣに含まれる複数のアイコンのいずれかのタップを検出していないと第２制御部３１０が判定した場合（ステップＳＡ１１５：ＮＯ）には、処理がステップＳＡ１１７に進む。
そして、ステップＳＡ１１７において、第２表示制御部３１１は、操作メニュー画像ＰＣを表示部３３０に表示してから第２所定時間が経過したか否かを判定する。第２所定時間は、例えば３０秒間である。
操作メニュー画像ＰＣを表示部３３０に表示してから第２所定時間が経過していないと第２表示制御部３１１が判定した場合（ステップＳＡ１１７：ＮＯ）には、処理がステップＳＡ１１５に戻る。操作メニュー画像ＰＣを表示部３３０に表示してから第２所定時間が経過したと第２表示制御部３１１が判定した場合（ステップＳＡ１１７：ＹＥＳ）には、処理がステップＳＡ１１９に進む。
そして、ステップＳＡ１１９において、第２表示制御部３１１は、操作メニュー画像ＰＣを非表示にする。
【０１３４】
次に、ステップＳＡ１２１において、第２制御部３１０は、ＨＭＤ１００の音量調整キー１５又は音量調整キー１６の操作を検出したか否かを判定する。具体的には、第２制御部３１０は、ＨＭＤ１００の接続装置１０から音量調整キー１５又は音量調整キー１６の操作に対応する操作データを受信したか否かを判定する。
ＨＭＤ１００の音量調整キー１５又は音量調整キー１６の操作を検出したと第２制御部３１０が判定した場合（ステップＳＡ１２１：ＹＥＳ）には、処理がステップＳＡ１２３に進む。
そして、第２制御部３１０は、第２音量調整処理を実行する。具体的には、第２制御部３１０は、ＨＭＤ１００の音量調整キー１５又は音量調整キー１６の操作に基づいて、右イヤホン３２及び左イヤホン３４から出力する音声の音量を調整する。更に具体的には、音量調整キー１５の操作データを受信した場合には、第２制御部３１０は、右イヤホン３２及び左イヤホン３４から出力する音声の音量を増大する。また、音量調整キー１６の操作データを受信した場合には、第２制御部３１０は、右イヤホン３２及び左イヤホン３４から出力する音声の音量を減少する。
ＨＭＤ１００の音量調整キー１５又は音量調整キー１６の操作を検出していないと第２制御部３１０が判定した場合（ステップＳＡ１２１：ＮＯ）には、処理がステップＳＡ１２５に進む。
そして、ステップＳＡ１２５において、第２制御部３１０は、ＨＭＤ１００の輝度調整キー１３又は輝度調整キー１４の操作を検出したか否かを判定する。具体的には、第２制御部３１０は、ＨＭＤ１００の接続装置１０から輝度調整キー１３又は輝度調整キー１４の操作に対応する操作データを受信したか否かを判定する。
【０１３５】
ＨＭＤ１００の輝度調整キー１３又は輝度調整キー１４の操作を検出したと第２制御部３１０が判定した場合（ステップＳＡ１２５：ＹＥＳ）には、処理がステップＳＡ１２７に進む。
そして、ステップＳＡ１２７において、第２制御部３１０は、第３輝度調整処理を実行する。具体的には、第２制御部３１０は、ＨＭＤ１００の輝度調整キー１３又は輝度調整キー１４の操作に基づいて、右表示部２２及び左表示部２４に表示する画像ＰＴの輝度を調整する。更に具体的には、輝度調整キー１３の操作データを受信した場合には、第２制御部３１０は、右表示部２２及び左表示部２４に表示する画像ＰＴの輝度を増加する。また、輝度調整キー１４の操作データを受信した場合には、第２制御部３１０は、右表示部２２及び左表示部２４に表示する画像ＰＴの輝度を減少する。
ＨＭＤ１００の輝度調整キー１３又は輝度調整キー１４の操作を検出していないと第２制御部３１０が判定した場合（ステップＳＡ１２５：ＮＯ）には、処理がステップＳＡ１２９に進む。
そして、ステップＳＡ１２９において、検出部３１２は、ＨＭＤ１００の切断を検出したか否かを判定する。
ＨＭＤ１００の切断を検出していないと検出部３１２が判定した場合（ステップＳＡ１２９：ＮＯ）には、処理がステップＳＡ１０９に戻る。ＨＭＤ１００の切断を検出したと検出部３１２が判定した場合（ステップＳＡ１２９：ＹＥＳ）には、処理が終了する。
【０１３６】
操作メニュー画像ＰＣに含まれる複数のアイコンのいずれかのタップを検出したと第２制御部３１０が判定した場合（ステップＳＡ１１５：ＹＥＳ）には、図１１に示すように、以下の処理が実行される。
すなわち、まず、ステップＳＡ２０１において、第２制御部３１０は、輝度調整アイコンＰＣ１のタップを検出したか否かを判定する。
輝度調整アイコンＰＣ１のタップを検出したと第２制御部３１０が判定した場合（ステップＳＡ２０１：ＹＥＳ）には、処理がステップＳＡ２０３に進む。
そして、ステップＳＡ２０３において、第２表示制御部３１１は、第３輝度調整処理を実行し、その後、処理が図１０のステップＳＡ１１７に戻る。具体的には、第２表示制御部３１１は、表示部３３０に輝度調整画像を表示し、輝度調整画像の操作に対応して、右表示部２２及び左表示部２４に表示する画像ＰＴの輝度を調整する。輝度調整画像は、図８に示す音量調整画像ＰＳと同様の態様で表示される。
輝度調整アイコンＰＣ１のタップを検出していないと第２制御部３１０が判定した場合（ステップＳＡ２０１：ＮＯ）には、処理がステップＳＡ２０５に進む。
そして、ステップＳＡ２０５において、第２制御部３１０は、音量調整アイコンＰＣ２のタップを検出したか否かを判定する。
【０１３７】
音量調整アイコンＰＣ２のタップを検出したと第２制御部３１０が判定した場合（ステップＳＡ２０５：ＹＥＳ）には、処理がステップＳＡ２０７に進む。
そして、ステップＳＡ２０７において、第２制御部３１０は、第１音量調整処理を実行し、その後、処理が図１０のステップＳＡ１１７に戻る。具体的には、第２制御部３１０は、表示部３３０に音量調整画像ＰＳを表示し、音量調整画像ＰＳの操作に対応して、右イヤホン３２及び左イヤホン３４から出力される音量を調整する。
音量調整アイコンＰＣ２のタップを検出していないと第２制御部３１０が判定した場合（ステップＳＡ２０５：ＮＯ）には、処理がステップＳＡ２０９に進む。
そして、ステップＳＡ２０９において、第２制御部３１０は、分割調整アイコンＰＣ３のタップを検出したか否かを判定する。
分割調整アイコンＰＣ３のタップを検出したと第２制御部３１０が判定した場合（ステップＳＡ２０９：ＹＥＳ）には、処理がステップＳＡ２１１に進む。
そして、ステップＳＡ２１１において、第２制御部３１０は、分割切換処理を実行し、その後、処理が図１０のステップＳＡ１１７に戻る。具体的には、第１表示制御部１２１が画像ＰＴを分割するように設定されている状態である場合には、第２制御部３１０は、第１表示制御部１２１が画像ＰＴを分割しない設定に切り換える。第１表示制御部１２１が画像ＰＴを分割しないように設定されている状態である場合には、第２制御部３１０は、第１表示制御部１２１が画像ＰＴを分割する設定に切り換える。
分割調整アイコンＰＣ３のタップを検出していないと第２制御部３１０が判定した場合（ステップＳＡ２０９：ＮＯ）には、処理が図１０のステップＳＡ１１７に戻る。
【０１３８】
図１２は、第２制御部３１０の「第１輝度調整処理」を示すフローチャートである。
以下で説明する「第１輝度調整処理」は、図１０のステップＳＡ１０９において実行される。
まず、ステップＳＡ３０１において、受付部３１３が、表示部３３０のタッチセンサー３３２を介して、使用者の操作入力を受け付けたか否かを判定する。
使用者の操作入力を受け付けていないと受付部３１３が判定した場合（ステップＳＡ３０１：ＮＯ）には、処理がステップＳＡ３０７に進む。使用者の操作入力を受け付けたと受付部３１３が判定した場合（ステップＳＡ３０１：ＹＥＳ）には、処理がステップＳＡ３０３に進む。
そして、ステップＳＡ３０３において、第２表示制御部３１１は、輝度が暗状態であるか否かを判定する。ここで、「輝度が暗状態である」とは、表示部３３０に表示する画像ＰＴの上層に、一定濃度の灰色の画像が形成されたレイヤーを仮想的に重ねることによって、表示部３３０に表示する画像の輝度が低減されている状態を示す。
【０１３９】
輝度が暗状態ではないと第２表示制御部３１１が判定した場合（ステップＳＡ３０３：ＮＯ）には、処理が図１０のステップＳＡ１１１に進む。輝度が暗状態であると第２表示制御部３１１が判定した場合（ステップＳＡ３０３：ＹＥＳ）には、処理がステップＳＡ３０５に進む。
そして、ステップＳＡ３０５において、第２表示制御部３１１は、暗画像を非表示にすることによって、表示部３３０に表示する画像ＰＴの輝度を、輝度を通常状態の輝度に戻し、その後、処理が図１０のステップＳＡ１１１に進む。
使用者の操作入力を受け付けていないと受付部３１３が判定した場合（ステップＳＡ３０１：ＮＯ）には、ステップＳＡ３０７において、第２表示制御部３１１は、使用者の操作入力を受付部３１３が受け付けてから第１所定時間が経過したか否かを判定する。第１所定時間は、例えば１０秒間である。
使用者の操作入力を受付部３１３が受け付けてから第１所定時間が経過していないと第２表示制御部３１１が判定した場合（ステップＳＡ３０７：ＮＯ）には、処理が図１０のステップＳＡ１１１に進む。使用者の操作入力を受付部３１３が受け付けてから第１所定時間が経過したと第２表示制御部３１１が判定した場合（ステップＳＡ３０７：ＹＥＳ）には、処理がステップＳＡ３０９に進む。
そして、ステップＳＡ３０９において、第２表示制御部３１１は、表示部３３０に表示する画像ＰＴの上層に、暗画像が形成されたレイヤーを仮想的に重畳することによって、表示部３３０に表示する画像ＰＴの輝度を低減する。その後、処理が図１０のステップＳＡ１１１に進む。
【０１４０】
［４．第１制御部の処理の説明］
図１３は、ＨＭＤ１００の第１制御部１２０の処理を示すフローチャートである。
まず、ステップＳＢ１０１において、第１制御部１２０は、スマートフォン３００との接続を検出したか否かを判定する。
スマートフォン３００との接続を検出していないと第１制御部１２０が判定した場合（ステップＳＢ１０１：ＮＯ）には、処理が待機状態になる。スマートフォン３００との接続を検出したと第１制御部１２０が判定した場合（ステップＳＢ１０１：ＹＥＳ）には、処理がステップＳＢ１０３に進む。
そして、ステップＳＢ１０３において、第１制御部１２０がＨＭＤ１００の起動処理を実行する。
次に、ステップＳＢ１０５において、第１制御部１２０が、スマートフォン３００とのとの間でＵＳＢ規格での通信を確立する。
次に、ステップＳＢ１０７において、受信部１２３は、スマートフォン３００から画像を受信する。
次に、ステップＳＢ１０９において、第１表示制御部１２１は、受信した画像ＰＴを第１表示制御部１２１が分割するように設定されているか否かを判定する。
受信した画像ＰＴを第１表示制御部１２１が分割するように設定されていないと第１表示制御部１２１が判定した場合（ステップＳＢ１０９：ＮＯ）には、処理がステップＳＢ１１７に進む。受信した画像ＰＴを第１表示制御部１２１が分割するように設定されていると第１表示制御部１２１が判定した場合（ステップＳＢ１０９：ＹＥＳ）には、処理がステップＳＢ１１１に進む。
【０１４１】
そして、ステップＳＢ１１１において、第１表示制御部１２１は、画像ＰＴを、設定された分割位置で分割することにより、右画像ＲＰと左画像ＬＰとを生成する。
次に、ステップＳＢ１１３において、第１表示制御部１２１は、右画像ＲＰを右表示部２２により表示させる。
次に、ステップＳＢ１１５において、第１表示制御部１２１は、左画像ＬＰを左表示部２４により表示させ、処理がステップＳＢ１２１に進む。
受信した画像ＰＴを第１表示制御部１２１が分割するように設定されていないと第１表示制御部１２１が判定した場合（ステップＳＢ１０９：ＮＯ）には、ステップＳＢ１１７において、第１表示制御部１２１は、画像ＰＴを右表示部２２により表示させる。
次に、ステップＳＢ１１９において、第１表示制御部１２１は、画像ＰＴを左表示部２４により表示させる。
【０１４２】
次に、ステップＳＢ１２１において、第１制御部１２０が、音量調整キー１５又は音量調整キー１６の操作を検出したか否かを判定する。
音量調整キー１５又は音量調整キー１６の操作を検出したと第１制御部１２０が判定した場合（ステップＳＢ１２１：ＹＥＳ）には、処理がステップＳＢ１２３に進む。
そして、ステップＳＢ１２３において、第１制御部１２０は、音量調整キー１５又は音量調整キー１６の操作を示す操作データをスマートフォン３００に送信する。
音量調整キー１５又は音量調整キー１６の操作を検出していないと第１制御部１２０が判定した場合（ステップＳＢ１２１：ＮＯ）には、処理がステップＳＢ１２５に進む。
【０１４３】
そして、ステップＳＢ１２５において、第１制御部１２０が、輝度調整キー１３又は輝度調整キー１４の操作を検出したか否かを判定する。
輝度調整キー１３又は輝度調整キー１４の操作を検出していないと第１制御部１２０が判定した場合（ステップＳＢ１２５：ＮＯ）には、処理がステップＳＢ１２９に進む。
輝度調整キー１３又は輝度調整キー１４の操作を検出したと第１制御部１２０が判定した場合（ステップＳＢ１２５：ＹＥＳ）には、処理がステップＳＢ１２７に進む。
そして、ステップＳＢ１２７において、第１制御部１２０は、輝度調整キー１３又は輝度調整キー１４の操作を示す操作データをスマートフォン３００に送信する。
次に、ステップＳＢ１２９において、第１制御部１２０が、スマートフォン３００との切断を検出したか否かを判定する。なお、「スマートフォン３００との切断」とは、スマートフォン３００との間の接続の解除を意味する。
スマートフォン３００との切断を検出していないと第１制御部１２０が判定した場合（ステップＳＢ１２９：ＮＯ）には、処理がステップＳＢ１０７に戻る。スマートフォン３００との切断を検出したと第１制御部１２０が判定した場合（ステップＳＢ１２９：ＹＥＳ）には、処理が終了する。
【０１４４】
図１０のステップＳＡ１１３は、「配置ステップ」の一例に対応し、図１０のステップＳＡ１０７は、「送信ステップ」の一例に対応する。図１３のステップＳＢ１０７は、「受信ステップ」の一例に対応し、図１３のステップＳＢ１１１、ステップＳＢ１１３及びステップＳＢ１１５は、「表示ステップ」の一例に対応する。
【０１４５】
［５．本実施形態の効果］
以上説明したように、本実施形態では、ＨＭＤ１００において、受信部１２３は、スマートフォン３００から画像ＰＴを受信する。そして、第１表示制御部１２１は、画像ＰＴを、設定された分割位置で分割することにより２つの分割画像とし、各々の分割画像を映像表示部２０により表示させる。なお、分割位置は、例えば中心線ＣＬの位置である。２つの分割画像は、右画像ＲＰと左画像ＬＰとである。第１表示制御部１２１は、一方の分割画像データに基づく画像、すなわち右画像ＲＰを右表示部２２に表示させ、他方の分割画像データに基づく画像、すなわち左画像ＬＰを左表示部２４に表示させる。また、スマートフォン３００において、送信部３１５は、画像ＰＴに対応する画像データをＨＭＤ１００に送信する。そして、第２表示制御部３１１は、画像ＰＴを調整する調整オブジェクトを画像ＰＴに含め、調整オブジェクトの位置を、分割位置に対応する位置から離間させる。調整オブジェクトは、例えば操作メニュー画像ＰＣである。
よって、ＨＭＤに表示する画像ＰＴにおいて操作メニュー画像ＰＣのような調整オブジェクトが適切な位置に配置される。したがって、使用者の操作性の低下を抑制できる。また、画像ＰＴがサイドバイサイド形式の３Ｄ映像データに対応する画像である場合には、使用者は、３Ｄ映像データに対応する３Ｄ画像を視認できる。したがって、使用者の利便性を向上できる。
【０１４６】
また、本実施形態に係る表示システム１の制御方法、スマートフォン３００及び、スマートフォン３００の制御プログラムは、上記と同様の効果を得ることができる。
【０１４７】
また、送信部３１５は、スマートフォン３００に表示部３３０に表示する画像ＰＴを、ＨＭＤ１００に送信する。
よって、ＨＭＤ１００の映像表示部２０に表示する複数の分割画像に対応する画像ＰＴを表示部３３０に表示できる。したがって、使用者は、スマートフォン３００の表示部３３０で画像ＰＴを視認できる。その結果、使用者の操作性を向上できる。
【０１４８】
また、スマートフォン３００の第２表示制御部３１１は、操作メニュー画像ＰＣのような調整オブジェクトを画像ＰＴの右領域に表示する。
一般的に、使用者の注視する程度は、画像ＰＴの左上領域が最も高く、右上領域、左下領域、右下領域の順に低下する。よって、操作メニュー画像ＰＣのような調整オブジェクトを画像ＰＴの右領域に表示するため、使用者は、適度な注意度で調整オブジェクトを視認できる。したがって、使用者の操作性を向上できる。
【０１４９】
また、スマートフォン３００の第２表示制御部３１１は、操作メニュー画像ＰＣのような調整オブジェクトを画像ＰＴの右上領域に表示する。
一般的に、使用者の注意する程度は、画像ＰＴの左上領域が最も高く、右上領域、左下領域、右下領域の順に低下する。よって、操作メニュー画像ＰＣのような調整オブジェクトを画像ＰＴの右上領域に表示するため、使用者は、更に適度な注意度で調整オブジェクトを視認できる。したがって、使用者の操作性を向上できる。
【０１５０】
また、スマートフォン３００の第２表示制御部３１１は、操作メニュー画像ＰＣのような調整オブジェクトを他の調整オブジェクトと重ならないように表示する。
したがって、調整オブジェクトが他の調整オブジェクトと重なって表示されることによる調整オブジェクトの操作性の低下を抑制できる。
【０１５１】
また、スマートフォン３００の第２表示制御部３１１は、操作メニュー画像ＰＣのような調整オブジェクトを縦長に表示する。
一般的に、画像ＰＴのうち、重要な画像は画像の左右方向の中央部に配置される。よって、操作メニュー画像ＰＣのような調整オブジェクトを縦長に表示するため、調整オブジェクトを画像ＰＴのうちの重要な画像から離間させて、例えば画像ＰＴの右上領域に配置できる。したがって、使用者の画像ＰＴの視認性の低下を抑制できる。
【０１５２】
また、スマートフォン３００の第２表示制御部３１１は、受付部３１３が入力を受け付けた場合には、操作メニュー画像ＰＣのような調整オブジェクトを表示する。また、第２表示制御部３１１は、受付部３１３が入力を受け付けない場合には、操作メニュー画像ＰＣのような調整オブジェクトを表示しない。
したがって、受付部３１３が入力を受け付けた場合には、操作メニュー画像ＰＣのような調整オブジェクトを表示するため、使用者は、操作メニュー画像ＰＣのような調整オブジェクトを操作できる。また、第２表示制御部３１１は、受付部３１３が入力を受け付けない場合には、操作メニュー画像ＰＣのような調整オブジェクトを表示しないため、調整オブジェクトによる画像ＰＴの視認性の低下を抑制できる。
【０１５３】
また、スマートフォン３００の第２表示制御部３１１は、ＨＭＤ１００が接続されたことを検出部３１２が検出した場合には、表示部３３０に表示する画像ＰＴの輝度を、設定された輝度よりも低減する。
よって、表示部３３０での画像ＰＴの表示によるスマートフォン３００のバッテリーの消耗を低減できる。したがって、スマートフォン３００のバッテリーの残量の低下を抑制できる。
【０１５４】
また、スマートフォン３００の第２表示制御部３１１は、表示部３３０に表示する画像の上層に、暗画像が形成されたレイヤーを仮想的に重ねることによって、第２表示制御部３１１は、表示部３３０に表示する画像の輝度を低減する。
したがって、簡素な処理で表示部３３０に表示する画像の輝度を低減できる。また、暗画像が形成されたレイヤーを仮想的に除去することによって、簡素な処理で表示部３３０に表示する画像の輝度を復元できる。
【０１５５】
また、調整オブジェクトは、スライドバーオブジェクトを含む。図８を参照して説明した音量調整画像ＰＳは、スライドバーオブジェクトの一例に対応する。スライドバーオブジェクトは、画像ＰＴの左右方向に延びるスライドバー画像を含む。
したがって、スライドバーオブジェクトによる音量調整等の操作の操作性を確保できる。
【０１５６】
［６．他の実施形態］
本発明は上記実施形態の構成に限られるものではなく、その要旨を逸脱しない範囲において種々の態様において実施することが可能である。
例えば、本実施形態では、分割位置が中心線ＣＬの位置であるが、これに限定されない。例えば、分割位置が画像ＰＴの上下方向の中心位置であってもよい。
【０１５７】
また、本実施形態では、スマートフォン３００の第２表示制御部３１１は、操作メニュー画像ＰＣのような調整オブジェクトを画像ＰＴの右上領域に表示したが、これに限定されない。スマートフォン３００の第２表示制御部３１１は、操作メニュー画像ＰＣのような調整オブジェクトの位置を、画像ＰＴの分割位置に対応する位置から離間させればよい。例えば、第２表示制御部３１１が、操作メニュー画像ＰＣを画像ＰＴの右領域に表示してもよいし、左領域に表示してもよい。換言すれば、第２表示制御部３１１は、操作メニュー画像ＰＣを中心線ＣＬの位置に重ならないように配置すればよい。
【０１５８】
また、本実施形態では、スマートフォン３００の第２表示制御部３１１は、画像ＰＴを表示部３３０に表示したが、これに限定されない。スマートフォン３００の第２表示制御部３１１は、ＨＭＤ１００におけるエラーの発生に応じて、エラーの発生を示すエラー画像を表示部３３０に表示してもよい。すなわち、第２表示制御部３１１は、画像ＰＴに換えて、又は加えてエラー画像を表示してもよい。
なお、エラーは、例えば、ＨＭＤ１００の温度が所定の閾値以上に到達したことを示す。また、この場合には、エラー画像は、「ＨＭＤが高温になっているため、機能を停止します。しばらくしてから再度接続してください。」というような文字画像である。
よって、ＨＭＤ１００におけるエラーの発生をスマートフォン３００の表示部３３０によって確認できる。したがって、ユーザーの利便性を向上できる。
【０１５９】
また、本実施形態では、スマートフォン３００の第２表示制御部３１１は、操作メニュー画像ＰＣのような調整オブジェクトを縦長に表示したが、これに限定されない。第２表示制御部３１１は、操作メニュー画像ＰＣのような調整オブジェクトを横長に表示してもよいし、正方形状に表示してもよい。
【０１６０】
また、本実施形態では、「情報処理装置」がスマートフォン３００であるが、これに限定されない。「情報処理装置」は、制御部と表示部と電源とを備えればよい。例えば、「情報処理装置」がタブレット型パーソナルコンピューターでもよいし、ノート型パーソナルコンピューターでもよい。
【０１６１】
また、上記実施形態では、接続装置１０が映像表示部２０と有線接続される構成を例示したが、これに限定されず、接続装置１０に対して映像表示部２０が無線接続される構成であってもよい。
【０１６２】
また、接続装置１０が備える一部の機能を映像表示部２０に設けてもよく、接続装置１０を複数の装置により実現してもよい。例えば、接続装置１０に代えて、使用者の身体、着衣、或いは、使用者が身につける装身具に取り付け可能なウェアラブルデバイスを用いてもよい。この場合のウェアラブルデバイスは、例えば、時計型の装置、指輪型の装置、レーザーポインター、マウス、エアーマウス、ゲームコントローラー、ペン型のデバイス等であってもよい。
【０１６３】
また、上記実施形態では、映像表示部２０と接続装置１０とが分離され、接続ケーブル４０を介して接続された構成を例に挙げて説明した。これに限定されず、接続装置１０と映像表示部２０とが一体に構成され、使用者の頭部に装着される構成とすることも可能である。
【０１６４】
また、上記実施形態において、使用者が表示部を透過して外景を視認する構成は、右導光板２６及び左導光板２８が外光を透過する構成に限定されない。例えば外景を視認できない状態で画像を表示する表示装置にも適用可能である。具体的には、カメラ６１の撮像画像、この撮像画像に基づき生成される画像やＣＧ、予め記憶された映像データや外部から入力される映像データに基づく映像等を表示する表示装置に、適用できる。この種の表示装置としては、外景を視認できない、いわゆるクローズ型の表示装置を含むことができる。例えば、カメラ６１により撮像する外景の画像と、表示画像とを合成した合成画像を映像表示部２０により表示する構成とすれば、映像表示部２０が外光を透過しなくても、使用者に外景と画像とを視認可能に表示できる。このような、いわゆるビデオシースルー型の表示装置に適用することも勿論可能である。
【０１６５】
また、例えば、映像表示部２０に代えて、例えば帽子のように装着する画像表示部等の他の方式の画像表示部を採用してもよく、使用者の左眼ＬＥに対応して画像を表示する表示部と、使用者の右眼ＲＥに対応して画像を表示する表示部とを備えていればよい。また、表示装置は、例えば、自動車や飛行機等の車両に搭載されるＨＭＤとして構成されてもよい。また、例えば、ヘルメット等の身体防護具に内蔵されたＨＭＤとして構成されてもよい。この場合、使用者の身体に対する位置を位置決めする部分、及び、当該部分に対し位置決めされる部分を装着部とすることができる。
【０１６６】
また、画像光を使用者の眼に導く光学系として、右導光板２６及び左導光板２８の一部に、ハーフミラー２６１、２８１により虚像が形成される構成を例示した。これに限定されず、右導光板２６及び左導光板２８の全面または大部分を占める面積を有する表示領域に、画像を表示する構成としてもよい。この場合、画像の表示位置を変化させる動作において、画像を縮小する処理を含めてもよい。
さらに、光学素子は、ハーフミラー２６１、２８１を有する右導光板２６、左導光板２８に限定されず、画像光を使用者の眼に入射させる光学部品であればよく、具体的には、回折格子、プリズム、ホログラフィー表示部を用いてもよい。
【０１６７】
また、図４、図５等に示した各機能ブロックのうち少なくとも一部は、ハードウェアで実現してもよいし、ハードウェアとソフトウェアの協働により実現される構成としてもよく、図に示した通りに独立したハードウェア資源を配置する構成に限定されない。
また、第２制御部３１０が実行する制御プログラムは、不揮発性記憶部３２０又は第２制御部３１０内の他の記憶部に記憶されてもよい。また、外部の装置に記憶された制御プログラムを、通信部３４５等を介して取得して実行する構成としてもよい。また、第２制御部３１０に形成された構成のうち、受付部３１３がユーザーインターフェイス（ＵＩ）として形成されてもよい。
また、接続装置１０に形成された構成が重複して映像表示部２０に形成されていてもよい。例えば、接続装置１０のプロセッサーと同様のプロセッサーが映像表示部２０に配置されてもよいし、接続装置１０が備えるプロセッサーと映像表示部２０のプロセッサーとが別々に分けられた機能を実行する構成としてもよい。
【０１６８】
また、図１０〜図１３に示すフローチャートの処理単位は、スマートフォン３００又はＨＭＤ１００の処理を理解容易にするために、主な処理内容に応じて分割したものである。図１０〜図１３に示すフローチャートに示す処理単位の分割の仕方や名称によって実施形態が制限されることはない。また、第１制御部１２０及び第２制御部３１０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【０１６９】
また、表示システム１の制御方法は、表示システム１の各表示装置が備えるコンピューターに、表示システム１の制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ、Ｂｌｕ−ｒａｙ（登録商標）Ｄｉｓｃ、光磁気ディスク、フラッシュメモリー、カード型記録媒体等の可搬型、或いは固定式の記録媒体が挙げられる。また、記録媒体は、画像表示装置が備える内部記憶装置であるＲＡＭ、ＲＯＭ、ＨＤＤ等の不揮発性記憶装置であってもよい。また、表示システム１の制御方法に対応したプログラムをサーバー装置等に記憶させておき、サーバー装置から表示システム１の各表示装置に、プログラムをダウンロードすることで表示システム１の制御方法を実現することもできる。
【符号の説明】
【０１７０】
１…表示システム、１０…接続装置、１１、１１Ａ、１１Ｄ…コネクター、１３、１４…輝度調整キー、１５、１６…音量調整キー、２０…映像表示部（第１表示部）、２１…右保持部、２２…右表示部（右眼用表示部）、２３…左保持部、２４…左表示部（左眼用表示部）、２６…右導光板、２６１…ハーフミラー、２８…左導光板、２８１…ハーフミラー、４０…接続ケーブル、４６…ＵＳＢケーブル、１００…ＨＭＤ（表示装置）、１２０…第１制御部、１２１…第１表示制御部、１２３…受信部、１３０…不揮発性記憶部、１４０…操作部、１４５…接続部、１４７…音声処理部、２１０…右表示部基板、２２１…ＯＬＥＤユニット、２３０…左表示部基板、２４１…ＯＬＥＤユニット、２４９…電源部、３００…スマートフォン（情報処理装置）、３１０…第２制御部、３１１…第２表示制御部、３１２…検出部、３１３…受付部、３１５…送信部、３２０…不揮発性記憶部、３２１…コンテンツデータ、３３１…表示パネル（第２表示部）、３３２…タッチセンサー、３４１…Ｉ／Ｆ部、３４５…通信部、ＡＲ…通知表示領域、ＣＬ…中心線、ＬＰ、ＬＰ１、ＬＰ２…左画像（分割画像）、ＭＧ１…第１メッセージ画像、ＭＧ２…第２メッセージ画像、ＭＧ３…第３メッセージ画像、ＰＣ…操作メニュー画像（調整オブジェクト）、ＰＣ１…輝度調整アイコン、ＰＣ２…音量調整アイコン、ＰＣ３…分割調整アイコン、ＰＣ４…その他調整アイコン、ＰＣＬ…境界線画像、ＰＤ、ＰＤＬ、ＰＤＲ…画像、ＰＤ１…第１画像、ＰＤ２…第２画像、ＰＳ…音量調整画像（調整オブジェクト、スライドバーオブジェクト）、ＰＳ１…音量画像、ＰＳ２…スライドバー画像、ＰＳ３…ノブ画像、ＰＳ４…音量表示画像、ＰＴ、ＰＴ１、ＰＴ２…画像、ＲＰ、ＲＰ１、ＲＰ２…右画像（分割画像）。
【図１】
2020112982.tif 000003
【図２】
2020112982.tif 000004
【図３】
2020112982.tif 000005
【図４】
2020112982.tif 000006
【図５】
2020112982.tif 000007
【図６】
2020112982.tif 000008
【図７】
2020112982.tif 000009
【図８】
2020112982.tif 000010
【図９】
2020112982.tif 000011
【図１０】
2020112982.tif 000012
【図１１】
2020112982.tif 000013
【図１２】
2020112982.tif 000014
【図１３】
2020112982.tif 000015